(57)【特許請求の範囲】
【請求項１】
信号伝送方法であって、
ネットワーク・デバイスによって、第１の信号を生成することであって、該第１の信号は、端末デバイスに対して、第１のページング・オケージョンにページング・スケジューリング情報があることを示すために使用される、生成することと、
前記ネットワーク・デバイスによって、
ページング設定パラメータであって、ページング・フレーム番号、ページング密度、ページング・フレーム数量、またはページング・フレームにおけるページング・オケージョンの数量のうちの少なくとも１つを含む、ページング設定パラメータ、
数量表示パラメータを含む第１のパラメータ・セットであって、前記数量表示パラメータは、ページング期間における第１の信号の数量に対する前記ページング期間におけるページング・オケージョンの数量の比を示すために使用される、第１のパラメータ・セット、
端末デバイス識別子、または
端末デバイス識別符号のうちの少なくとも１つに基づいて、第１のリソースを決定することと、
前記ネットワーク・デバイスによって、前記第１のリソースで前記端末デバイスに前記第１の信号を送信することと、を含む方法。
【請求項２】
前記第１のパラメータ・セットは、さらに、第１の信号クラスタの開始伝送位置表示パラメータを含み、前記第１の信号クラスタは少なくとも１つの第１の信号を含む、請求項１に記載の方法。
【請求項３】
前記第１の信号クラスタの前記開始伝送位置表示パラメータは、時間領域において前記第１の信号クラスタの開始伝送位置を示すために使用される、
請求項２に記載の方法。
【請求項４】
前記第１のリソースにおける前記時間領域の開始位置は、前記第１のページング・オケージョンの時間領域位置より前である、請求項３に記載の方法。
【請求項５】
前記端末デバイスによって、第２のページング・オケージョンに対する前記第１の信号クラスタの前記開始伝送位置の相対位置に基づいて、前記第１の信号クラスタに対応する１番目のページング・オケージョンから開始する相対位置を推定することと、
前記端末デバイスによって、前記推定された位置を前記第１の信号クラスタの前記開始伝送位置として使用することと、をさらに含む、請求項３または４に記載の方法。
【請求項６】
前記第１のパラメータ・セットは、さらに、周波数領域リソース位置表示パラメータを含み、前記周波数領域リソース位置表示パラメータは、前記第１の信号の周波数領域リソース位置を示すために使用される、請求項１に記載の方法。
【請求項７】
前記周波数領域リソース位置表示パラメータは、明示的周波数領域リソース位置表示パラメータを含み、前記明示的周波数領域リソース位置表示パラメータは、前記周波数領域リソース位置のインデックス番号を示す、請求項６に記載の方法。
【請求項８】
信号伝送方法であって、
端末デバイスによって、
ページング設定パラメータであって、ページング・フレーム番号、ページング密度、ページング・フレーム数量、またはページング・フレームにおけるページング・オケージョンの数量のうちの少なくとも１つを含む、ページング設定パラメータ、
数量表示パラメータを含む第１のパラメータ・セットであって、前記数量表示パラメータは、ページング期間における第１の信号の数量に対する前記ページング期間におけるページング・オケージョンの数量の比を示すために使用される、第１のパラメータ・セット、
端末デバイス識別子、または
端末デバイス識別符号のうちの少なくとも１つに基づいて、第１のリソースを決定することと、
前記端末デバイスによって、前記第１のリソースで、ネットワーク・デバイスから送信された第１の信号を受信することであって、該第１の信号は、前記端末デバイスに対して、第１のページング・オケージョンにページング・スケジューリング情報があることを示すために使用される、受信することと、
前記端末デバイスによって、前記第１の信号に基づいて、前記第１のページング・オケージョンで下りリンク制御チャネルでリスンすることを決定することと、を含む方法。
【請求項９】
前記第１のパラメータ・セットは、さらに、第１の信号クラスタの開始伝送位置表示パラメータを含み、前記第１の信号クラスタは少なくとも１つの第１の信号を含む、請求項８に記載の方法。
【請求項１０】
前記第１の信号クラスタの前記開始伝送位置表示パラメータは、時間領域において前記第１の信号クラスタの開始伝送位置を示すために使用される請求項９に記載の方法。
【請求項１１】
前記第１のリソースにおける前記時間領域の開始位置は、前記第１のページング・オケージョンの時間領域位置より前である、請求項１０に記載の方法。
【請求項１２】
前記端末デバイスによって、第２のページング・オケージョンに対する前記第１の信号クラスタの前記開始伝送位置の相対位置に基づいて、前記第１の信号クラスタに対応する１番目のページング・オケージョンから開始する相対位置を推定することと、
前記端末デバイスによって、前記推定された位置を前記第１の信号クラスタの前記開始伝送位置として使用することと、をさらに含む、請求項１０または１１に記載の方法。
【請求項１３】
前記第１のパラメータ・セットは、さらに、周波数領域リソース位置表示パラメータを含み、前記周波数領域リソース位置表示パラメータは、前記第１の信号の周波数領域リソース位置を示すために使用される、請求項８に記載の方法。
【請求項１４】
前記周波数領域リソース位置表示パラメータは、明示的周波数領域リソース位置表示パラメータを含み、前記明示的周波数領域リソース位置表示パラメータは、前記周波数領域リソース位置のインデックス番号を示す、請求項１３に記載の方法。
【請求項１５】
第１の信号を生成するように構成されている生成モジュールであって、該第１の信号は、端末デバイスに対して、第１のページング・オケージョンにページング・スケジューリング情報があることを示すために使用される、生成モジュールと、
ページング設定パラメータであって、ページング・フレーム番号、ページング密度、ページング・フレーム数量、またはページング・フレームにおけるページング・オケージョンの数量のうちの少なくとも１つを含む、ページング設定パラメータ、
数量表示パラメータを含む第１のパラメータ・セットであって、前記数量表示パラメータは、ページング期間における第１の信号の数量に対する前記ページング期間におけるページング・オケージョンの数量の比を示すために使用される、第１のパラメータ・セット、
端末デバイス識別子、または
端末デバイス識別符号のうちの少なくとも１つに基づいて、第１のリソースを決定するように構成されている決定モジュールと、
前記第１のリソースで前記端末デバイスに前記第１の信号を送信するように構成されている送信モジュールと、を含むネットワーク・デバイス。
【請求項１６】
前記第１のパラメータ・セットは、第１の信号クラスタの開始伝送位置表示パラメータを含み、前記第１の信号クラスタは少なくとも１つの第１の信号を含む、請求項１５に記載のネットワーク・デバイス。
【請求項１７】
前記第１の信号クラスタの前記開始伝送位置表示パラメータは、時間領域において前記第１の信号クラスタの開始伝送位置を示すために使用される、
請求項１６に記載のネットワーク・デバイス。
【請求項１８】
前記第１のリソースにおける前記時間領域の開始位置は、前記第１のページング・オケージョンの時間領域位置より前である、請求項１７に記載のネットワーク・デバイス。
【請求項１９】
前記端末デバイスが、さらに、
第２のページング・オケージョンに対する前記第１の信号クラスタの前記開始伝送位置の相対位置に基づいて、前記第１の信号クラスタに対応する１番目のページング・オケージョンから開始する相対位置を推定することと、
前記推定された位置を前記第１の信号クラスタの前記開始伝送位置として使用することと、を行うように構成されている、請求項１７または１８に記載のネットワーク・デバイス。
【請求項２０】
前記第１のパラメータ・セットは、さらに、周波数領域リソース位置表示パラメータを含み、前記周波数領域リソース位置表示パラメータは、前記第１の信号の周波数領域リソース位置を示すために使用される、請求項１５に記載のネットワーク・デバイス。
【請求項２１】
前記周波数領域リソース位置表示パラメータは、明示的周波数領域リソース位置表示パラメータを含み、前記明示的周波数領域リソース位置表示パラメータは、前記周波数領域リソース位置のインデックス番号を示す、請求項２０に記載のネットワーク・デバイス。
【請求項２２】
端末デバイスであって、
ページング設定パラメータであって、ページング・フレーム番号、ページング密度、ページング・フレーム数量、またはページング・フレームにおけるページング・オケージョンの数量のうちの少なくとも１つを含む、ページング設定パラメータ、
数量表示パラメータを含む第１のパラメータ・セットであって、前記数量表示パラメータは、ページング期間における第１の信号の数量に対する前記ページング期間におけるページング・オケージョンの数量の比を示すために使用される、第１のパラメータ・セット、
端末デバイス識別子、または
端末デバイス識別符号のうちの少なくとも１つに基づいて、第１のリソースを決定するように構成されている決定モジュールと、
前記第１のリソースで、ネットワーク・デバイスから送信された第１の信号を受信するように構成されている受信モジュールであって、該第１の信号は、当該端末デバイスに対して、第１のページング・オケージョンにページング・スケジューリング情報があることを示すために使用される、受信モジュールと、
前記第１の信号に基づいて、前記第１のページング・オケージョンで下りリンク制御チャネルでリスンことを決定するように構成されている処理モジュールと、を含む端末デバイス。
【請求項２３】
前記第１のパラメータ・セットは、さらに、第１の信号クラスタの開始伝送位置表示パラメータを含み、前記第１の信号クラスタは少なくとも１つの第１の信号を含む、請求項２２に記載の端末デバイス。
【請求項２４】
前記第１の信号クラスタの前記開始伝送位置表示パラメータは、時間領域において前記第１の信号クラスタの開始伝送位置を示すために使用される、請求項２３に記載の端末デバイス。
【請求項２５】
前記第１のリソースにおける前記時間領域の開始位置は、前記第１のページング・オケージョンの時間領域位置より前である、請求項２４に記載の端末デバイス。
【請求項２６】
前記端末デバイスが、さらに、
第２のページング・オケージョンに対する前記第１の信号クラスタの前記開始伝送位置の相対位置に基づいて、前記第１の信号クラスタに対応する１番目のページング・オケージョンから開始する相対位置を推定することと、
前記推定された位置を前記第１の信号クラスタの前記開始伝送位置として使用することと、を行うように構成されている、請求項２４または２５に記載の端末デバイス。
【請求項２７】
前記第１のパラメータ・セットは、さらに、周波数領域リソース位置表示パラメータを含み、前記周波数領域リソース位置表示パラメータは、前記第１の信号の周波数領域リソース位置を示すために使用される、請求項２２に記載の端末デバイス。
【請求項２８】
前記周波数領域リソース位置表示パラメータは、明示的周波数領域リソース位置表示パラメータを含み、前記明示的周波数領域リソース位置表示パラメータは、前記周波数領域リソース位置のインデックス番号を示す、請求項２７に記載の端末デバイス。
【請求項２９】
プロセッサと、メモリと、通信インタフェースとを含み、該プロセッサは、該メモリおよび該通信インタフェースに接続され、
前記メモリは命令を記憶するように構成されており、
前記プロセッサは前記命令を実行するように構成されており、
前記通信インタフェースは前記プロセッサの制御下で別のネットワーク要素と通信するように構成されており、
前記プロセッサが前記メモリに記憶された前記命令を実行する場合、該実行により前記プロセッサが請求項１から７または請求項８から１４のいずれか一項に記載の方法を実行することを可能にする、通信デバイス。
【請求項３０】
コンピュータ読み取り可能記憶媒体であって、当該コンピュータ読み取り可能記憶媒体は、コンピュータ命令を記憶し、該命令がコンピュータで動作される場合、該コンピュータは、請求項１から７または請求項８から１４のいずれか一項に記載の方法を実行することが可能にされる、コンピュータ読み取り可能記憶媒体。
【発明の詳細な説明】
【技術分野】
【０００１】
本出願は、通信分野に関し、より具体的には、信号伝送方法、ネットワーク・デバイス、および端末デバイスに関する。
【背景技術】
【０００２】
無線通信システムにおいて、端末デバイスは、通常２つのモードを有する。すなわち、接続モードおよびアイドル・モード（またはスリープモード）である。端末デバイスがアイドル・モードである場合、端末デバイスはネットワーク・デバイスと直接通信することができない。ネットワーク・デバイスがアイドル・モードの端末デバイスを効果的に見つけることができることを確実にするために、ネットワーク・デバイスは通常、ページング方式で端末デバイスにページング・スケジューリング情報を送信する、すなわち、ネットワーク・デバイスと通信するために端末デバイスがアイドル・モードから接続モードに切り替えられる必要があるかどうかを周期的に指示する。端末デバイスは、ページング・スケジューリング情報を受信した後、ウェイク・アップして接続状態に入り、サービス・データを送信または受信してよい。
【０００３】
アイドル・モードの端末デバイスは、ページング・スケジューリング情報をリスンするために周期的にウェイク・アップする。周期的なウェイク・アップの期間は、不連続受信（Discontinuous  Reception、ＤＲＸ）期間と呼ばれる。端末デバイスがウェイク・アップする時点は、ページング・オケージョン（Paging  Occasion、ＰＯ）と呼ばれ、１つのＤＲＸ期間は、少なくとも１つのＰＯを含む。アイドル・モードの端末デバイスは、ＤＲＸ期間において、ほとんど時間、アイドル・モードのままであり、ページング・スケジューリング情報をリスンするために対応するＰＯでのみウェイク・アップする。ＤＲＸ期間において、端末デバイスは、ページング・スケジューリング情報をリスンするために１つのＰＯでのみウェイク・アップ必要がある。
【０００４】
しかし、モノのインターネット（Internet  of  Things、ＩｏＴ）システムでは、多くの端末デバイスのサービスは、積極的な報告、すなわち上りリンク指向によって特徴づけられ、端末デバイスがページングされる可能性は比較的低い。さらに、システム・メッセージ（従来のシステム・フレーム番号以外の有用なシステム・メッセージ等）は、あまり変更されない。したがって、ほとんどのＰＯは空である可能性がある。具体的には、ネットワーク・デバイスは、ほとんどのＤＲＸ期間において、ＰＯで対応するページング・スケジューリング情報を送信しない。しかし、端末デバイスは、ページング・スケジューリング情報をリスンするために各ＤＲＸ期間おけるＰＯで依然としてウェイク・アップする必要がある。これは、実際には電力消費の無駄を生じさせている。例えば、特定のＰＯで特定の端末デバイスに対するページング・スケジューリング情報がない場合でも、端末デバイスは、依然として下りリンク制御チャネルでリスンする必要があり、その結果、比較的大きな電力消費の無駄が生じる。しかも、いくつかのモノのインターネットのシステムでは、端末デバイスは一般に、低い電力消費についての要件を有するため、端末デバイスの電力消費を可能な限り低減して、端末デバイスのバッテリ寿命を延ばす必要がある。一般に、端末デバイスの電力消費は、端末デバイスの動作（信号の送信または受信）時間に直接比例すると考えてよい。
【０００５】
さらに、通信システムでは、ＤＲＸ期間において、複数の端末デバイスが１つのＰＯを共有する、言い換えると、複数の端末デバイスが同じＰＯでページング・スケジューリング情報をリスンする。特に、ショートＤＲＸ期間のシナリオでは、ＤＲＸにおけるＰＯの数量は、ＤＲＸが比較的短い場合には、通常、極端に多いわけではないため、同じＰＯで監視を実行する端末デバイスの数量が比較的多い。複数の端末デバイスが１つのＰＯを共有する場合、たとえそのＰＯにページング・スケジューリング情報がある場合でも、ページング・スケジューリング情報がＰＯを共有するすべての端末デバイスのうちのわずか数台の端末デバイスまたはただ１つの端末デバイスに専用となることがある。しかし、別の端末デバイスはページング・スケジューリング情報を受信する必要があり、その別の端末デバイスがページング・メッセージを解析した後（ページング・メッセージはページング・スケジューリング情報を使用することによってスケジューリングされる）にのみ、その別の端末デバイスがページングされていないと決定することができる。その結果、端末デバイスの電力消費が増加し、端末デバイスのバッテリ寿命が短くなる。従って、電力消費の無駄を避けるための新しい方法が緊急に提供される必要がある。
【発明の概要】
【０００６】
この出願の実施形態は、端末デバイスの電力消費を低減するための信号伝送方法、ネットワーク・デバイスおよび端末デバイスを提供する。
【０００７】
第１の態様によれば、信号伝送方法が提供され、
ネットワーク・デバイスによって、第１の信号を生成することであって、第１の信号は、端末デバイスに対して、第１のページング・オケージョンにページング・スケジューリング情報があるかないかを示すために使用される、生成することと、
ネットワーク・デバイスによって、ページング設定パラメータ、第１のパラメータ・セット、端末デバイス識別子、または端末デバイス識別符号のうちの少なくとも１つに基づいて、第１のリソースを決定することと、
ネットワーク・デバイスによって、第１のリソースで端末デバイスに第１の信号を送信することと、を含む。
【０００８】
この出願のこの実施形態では、ネットワーク・デバイスは、第１の信号を端末デバイスに送信することであって、第１の信号は、端末デバイスに対して、第１のページング・オケージョンにページング・スケジューリング情報があるかないかを示すために使用される、送信することにより、端末デバイスは、第１の信号に基づいて、下りリンク制御チャネルでリスンするどうかを決定するようにして、端末デバイスの電力消費を低減する。
【０００９】
任意には、ページング設定パラメータは、ページング・フレーム番号、ページング期間、ページング密度、ページング・フレーム数量、またはページング・フレームにおけるページング・オケージョンの数量のうちの少なくとも１つを含む。
【００１０】
いくつかの可能な実施態様では、第１のパラメータ・セットは、第１の信号クラスタの期間表示パラメータ、第１の信号クラスタの開始伝送位置表示パラメータ、数量表示パラメータ、または第１の信号クラスタの周波数領域リソース位置表示パラメータのうちの少なくとも１つを含み、第１の信号クラスタは、少なくとも１つの第１の信号を含む。
【００１１】
任意には、第１の信号クラスタの期間表示パラメータは、第１の信号クラスタの期間を示すために使用される。
【００１２】
期間表示パラメータは、明示的期間表示パラメータおよび／または暗示的期間表示パラメータを含み、明示的期間表示パラメータは、第１の信号クラスタの期間値のインデックス番号を示し、暗示的期間表示パラメータは、１つのページング期間における第１の信号クラスタの数量、またはページング・オケージョンの数量に対する１つのページング期間における第１の信号クラスタの数量の比のうちの少なくとも１つを示す。
【００１３】
任意には、第１の信号クラスタの開始伝送位置表示パラメータは、時間領域において第１の信号クラスタの開始伝送位置を示すために使用される。
【００１４】
開始伝送位置表示パラメータは、第２のページング・オケージョンに対する第１の信号クラスタの開始伝送位置の相対位置を示し、第２のページング・オケージョンは、第１の信号クラスタに対応する少なくとも１つのページング・オケージョンのうちの１番目のページング・オケージョンである。
【００１５】
任意には、数量表示パラメータは、ページング期間における第１の信号の数量、ページング期間における第１の信号クラスタの数量、または第１の信号クラスタにおける第１の信号の数量のうちの少なくとも１つを示すために使用される。
【００１６】
数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号クラスタの数量に対するページング期間におけるページング・オケージョンの数量の比、または第１の信号の数量に対する第１の信号クラスタの期間におけるページング・オケージョンの数量の比のうちの少なくとも１つを示す。
【００１７】
任意には、第１の信号の周波数領域リソース位置表示パラメータは、第１の信号の周波数領域リソース位置を示すために使用される。
【００１８】
周波数領域リソース位置表示パラメータは、明示的周波数領域リソース位置表示パラメータおよび／または暗示的周波数領域リソース位置表示パラメータを含み、明示的周波数領域リソース位置表示パラメータは、周波数領域リソース位置のインデックス番号を示し、暗示的周波数領域リソース位置表示パラメータは、第１のページング・オケージョンの周波数領域リソース位置に対する第１の信号の周波数領域リソース位置の相対位置を示す。
【００１９】
任意には、第１の信号クラスタにおける各第１の信号は、対応する番号またはインデックスを含んでよい。第１のリソースは、第１の信号クラスタにおける第１の信号の番号に対応してよい。第１の信号の番号またはインデックスを取得した後、ネットワーク・デバイスまたは端末デバイスは、対応するリソースの位置について学習してよい。
【００２０】
いくつかの可能な実施態様では、１つのページング期間において、第１の信号の数量は、ＰＯの数量と同じでも異なってもよい。
【００２１】
任意には、ネットワーク・デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、ネットワーク・デバイスまたは端末デバイスは、第１の計算ルールを使用することによって、ＰＯの前にある１番目の第１の信号クラスタにおける第１の信号の対応する番号を決定して、第１のリソースを決定してよい。
【００２２】
任意には、第１の信号の対応する番号は、ページング設定パラメータまたは数量表示パラメータのうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含む。ネットワーク・デバイスは、ページング設定パラメータにおけるＴ、Ｎ、およびｎＢを使用することによってＰＦＳＦＮを決定し、さらに、ＰＦＳＦＮ、Ｔ、ｎＢ、Ｎｗｕｓまたはｎのうちの少なくとも１つの関数を使用することによって、第１の信号の対応する番号を決定してよい。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表す。このようにして、ネットワーク・デバイスは、ＰＦＳＦＮ、Ｔ、ｎＢ、Ｎｗｕｓ、およびｎの関数を計算することによって、第１の信号の対応する番号を決定して、対応する番号に対応する第１のリソースを取得することができる。
【００２３】
例えば、１つのページング期間では、第１の信号の数量は、ＰＯの数量よりも少なくてよく、このケースでは、１つの第１の信号は複数のＰＯに対応する。任意には、第１の信号クラスタにおける第１の信号の番号およびＰＯは、以下の数式を満たす：
【数１】
0006910475.tif 000002
【００２４】
Ｗｉｎｄｅｘは、第１の信号クラスタにおける第１の信号の番号を表し、
【数２】
0006910475.tif 000003
は、切り捨て演算を表し、ＰＦＳＦＮはシステム・フレーム番号、具体的には、第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が第１の信号クラスタにおける第１の信号の数量のｎ倍であることを表し、
【数３】
0006910475.tif 000004
は、第１の信号クラスタに対応する少なくとも１つのＰＯにおけるＰＯの番号を表す。このようにして、ネットワーク・デバイスは、前述の式に基づいて第１の信号の番号を決定して、第１のリソースを取得することができる。
【００２５】
代替的に、任意には、第１の信号クラスタにおける第１の信号の番号およびＰＯは、以下の数式を満たしてよい：
【数４】
0006910475.tif 000005
【００２６】
数式におけるパラメータの意味は、前述の数式におけるものと同様であると理解されたい。簡潔にするため、詳細は再度説明されない。このようにして、ネットワーク・デバイスは、前述の式に基づいて第１の信号の番号を決定して、第１のリソースを取得することができる。
【００２７】
いくつかの可能な実装では、第１のリソースは、ページング設定パラメータ、第１のパラメータ・セット、および端末デバイス識別子に基づいて決定される。
【００２８】
ここで、１つのページング期間では、第１の信号の数量がＰＯの数量よりも大きくてもよい場合、１つのＰＯは複数の第１の信号に対応する。このケースでは、ネットワーク・デバイスは、ページング設定パラメータ、第１のパラメータ・セットおよび端末デバイス識別子ＵＦＩＤに基づいて、第１の信号を送信するための第１のリソースを決定してよい。ネットワーク・デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、ネットワーク・デバイスは、第２の計算ルールを使用することによって、ＰＯの前にある１番目の第１の信号クラスタにおける第１の信号の対応する番号を決定して、第１のリソースを決定してよい。
【００２９】
任意には、第１の信号の対応する番号は、ページング設定パラメータ、数量表示パラメータまたは端末デバイス識別子のうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含み、ＰＦＳＦＮはページング設定パラメータにおけるＴ、Ｎ及びｎＢに基づいて決定されてよく、対応する番号は、さらに、ＰＦＳＦＮ、Ｔ、ｎＢ、Ｎｗｕｓ、ｎまたはＵＥＩＤのうちの少なくとも１つの関数を使用することによって決定される。ＰＦＳＦＮはＰＯに対応するシステム・フレーム番号を表し、ページング・フレーム番号とも呼ばれ、Ｔは、端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表す。このようにして、ネットワーク・デバイスは、ＰＦＳＦＮ、Ｔ、ｎＢ、Ｎｗｕｓ、ｎおよびＵＥＩＤの関数を計算することによって、第１の信号の対応する番号を決定して、対応する番号に対応する第１のリソースを取得することができる。
【００３０】
任意には、第１の信号クラスタにおける第１の信号の番号および端末デバイス識別子ＵＥＩＤは、以下の数式を満たしてよい：
【数５】
0006910475.tif 000006
【００３１】
Ｗｉｎｄｅｘは、第１の信号クラスタにおける第１の信号の番号を表し、ＰＦＳＦＮは第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が第１の信号クラスタにおける第１の信号の数量のｎ倍であることを表し、
【数６】
0006910475.tif 000007
は、少なくとも１つのページング・オケージョンにおいて第１のページング・オケージョンの番号を表し、
【数７】
0006910475.tif 000008
は、１つの第１のページング・オケージョンに対応するｎ個の第１の信号におけるＵＥＩＤに対応する第１の信号の番号を表し、ＵＥＩＤは端末デバイス識別子を表し、Ｎの値はｍｉｎ（Ｔ，ｎＢ）である。
【００３２】
いくつかの可能な実装では、第１のリソースは、ページング設定パラメータ、第１のパラメータ・セット、および端末デバイス識別符号に基づいて決定される。このケースでは、ネットワーク・デバイスは、ページング設定パラメータ、第１のパラメータ・セット、および端末デバイス識別符号ＩＭＳＩに基づいて、第１の信号を送信するためのリソースを決定してよい。ネットワーク・デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、ネットワーク・デバイスは、第３の計算ルールを使用することによって、ＰＯの前にある１番目の第１の信号クラスタにおける第１の信号の対応する番号を決定して、第１のリソースを決定してよい。
【００３３】
任意には、第１の信号の対応する番号は、ページング設定パラメータ、数量表示パラメータ、または端末デバイス識別符号のうちの少なくとも１つの関数を使用することによって決定されてよい。
【００３４】
ここで、第１の信号の数量がＰＯの数量より大きくてもよい場合、１つのＰＯは複数の第１の信号に対応する。さらに、１つの端末デバイス識別子ＵＥＩＤは、複数の端末デバイス識別符号ＩＭＳＩに対応する。このケースでは、ネットワーク・デバイスは、端末デバイス識別符号ＩＭＳＩに基づいて、第１の信号を送信するための第１のリソースを決定してよい。
【００３５】
任意には、ページング設定パラメータは、ＰＦＳＦＮ、Ｔ、ｎＢ、Ｎ、およびＮｓを含み、数量表示パラメータは、Ｎｗｕｓ、ｎ等を含み、ＰＦＳＦＮは、ページング設定パラメータにおけるＴ、Ｎ及びｎＢに基づいて決定されてよく、第１の信号の対応する番号は、さらに、ＰＦＳＦＮ、Ｔ、ｎＢ、Ｎｗｕｓ、ｎまたはＩＭＳＩのうちの少なくとも１つの関数を使用することによって決定される。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表し、ＩＭＳＩは端末デバイス識別符号を表す。このようにして、ネットワーク・デバイスは、ＰＦＳＦＮ、Ｔ、ｎＢ、Ｎｗｕｓ、ｎおよびＩＭＳＩの関数を計算することにより、第１の信号の対応する番号を決定して、対応する番号に対応する第１のリソースを取得することができる。
【００３６】
任意には、第１の信号クラスタにおける第１の信号の番号および端末デバイス識別符号ＩＭＳＩは、以下の数式を満たしてよい：
【数８】
0006910475.tif 000009
【００３７】
【数９】
0006910475.tif 000010
は、少なくとも１つのページング・オケージョンにおいて第１のページング・オケージョンの番号を表し、
【数１０】
0006910475.tif 000011
は、１つの第１のページング・オケージョンに対応するｎ個の第１の信号におけるＵＥＩＤに対応する第１の信号の番号を表し、ＰＦＳＦＮは、第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタの期間における第１のページング・オケージョンの数量が、第１の信号クラスタにおける第１の信号の数量のｎ倍であることを表し、ＩＭＳＩは端末デバイスに対応する端末デバイス識別符号を表し、Ｗｉｎｄｅｘは第１の信号クラスタにおける第１の信号の番号を表す。Ｍの値は正の整数であり、Ｍの値の範囲は十分に大きくてよい。Ｍの値が十分に大きい場合、ＩＭＳＩ  ｍｏｄ  Ｍは、ＩＭＳＩとほぼ等しい。Ｃの値は正の整数であり、好ましくは２の整数倍であり、１０２４、４０９６、または他の可能な値であってよい。これは限定されない。
【００３８】
いくつかの可能な実装では、第１の信号クラスタにおける少なくとも１つの信号は、連続時分割方式または分散時分割方式で送信される。
【００３９】
いくつかの可能な実装では、第１のリソースの時間領域開始位置は、第１のページング・オケージョンの時間領域開始位置より前であるか、あるいは第１のリソースの時間領域開始位置は、第１のページング・オケージョンの時間領域開始位置と同じである。
【００４０】
ここで、第１のリソースの時間領域開始位置が、第１のページング・オケージョンに対応する時間領域開始位置と一致する場合、有効なページング・スケジューリング情報および／またはシステム・メッセージ変更があるとき、ネットワーク・デバイスは、第１のページング・オケージョンでページング・スケジューリング情報を送信する。有効なページング・スケジューリング情報および／またはシステム・メッセージ変更がない場合、ネットワーク・デバイスは、第１のページング・オケージョンで第１の信号を送信する。例えば、第１の信号は、端末デバイスに対して、第１のページング・オケージョンにページング・スケジューリング情報があるかないかを示す。これに対応して、アイドル・モードからウェイク・アップした後で、第１のページング・オケージョンで下りリンク制御チャネルでリスンする前に、端末デバイスは、第１の信号を検出しようと最初に試みてよい。第１の信号が首尾よく検出され、第１の信号が、端末デバイスに対して、第１のページング・オケージョンにページング・スケジューリング情報がないことを示す場合、端末デバイスは、スリープを継続し、アイドル・モードに入ってよい。代替的には、第１の信号が第１のページング・オケージョンにページング・スケジューリング情報があることを示す場合、端末デバイスは、ページング・スケジューリング情報を受信するために探索空間でリスンし続けてしてよい。
【００４１】
いくつかの可能な実装では、第１のリソースの周波数領域リソースは、第１のページング・オケージョンに対応する周波数領域リソースと同じであるか、あるいは第１のリソースの周波数領域リソースと第１のページング・オケージョンに対応する周波数領域リソースの間に間隔がある。
【００４２】
いくつかの可能な実装では、その方法は、さらに：
ネットワーク・デバイスによって、ページング設定パラメータの少なくとも１つの要素および／または第１のパラメータ・セットの少なくとも１つの要素を、上位レイヤ・シグナリングを使用して端末デバイスに送信すること、を含む。
【００４３】
任意には、上位レイヤ・シグナリングは、システム・メッセージまたは他の上位レイヤ・シグナリングであってよい。例えば、上位レイヤ・シグナリングは、無線リソース制御（Radio  Resource  Control、ＲＲＣ）シグナリングであってよい。システム・メッセージは、システム情報ブロック（System  Information  Block、ＳＩＢ）またはマスタ情報ブロック（Master  Information  Block、ＭＩＢ）であってよい。
【００４４】
第２の態様によれば、
端末デバイスによって、ページング設定パラメータ、第１のパラメータ・セット、端末デバイス識別子、または端末識別符号のうちの少なくとも１つに基づいて、第１のリソースを決定することと、
端末デバイスによって、ネットワーク・デバイスによって送信された第１の信号を第１のリソースで受信することであって、第１の信号は、端末デバイスに対して、第１のページング・オケージョンにページング・スケジューリング情報があるかないかを示すために使用される、受信することと、
端末デバイスによって、第１の信号に基づいて、第１のページング・オケージョンで下りリンク制御チャネルでリスンするかどうかを決定することと、を含む信号伝送方法が提供される。
【００４５】
この出願のこの実施形態では、端末デバイスは、ページング設定パラメータ、第１のパラメータ・セット、端末デバイス識別子、または端末デバイス識別符号のうちの少なくとも１つに基づいて第１のリソースを決定することと、ネットワーク・デバイスによって送信された第１の信号を第１のリソースで受信することであって、第１の信号は、端末デバイスに対して、第１のページング・オケージョンにページング・スケジューリング情報があるかないかを示すために使用される、受信することと、第１の信号に基づいて、下りリンク制御チャネルでリスンするかどうかを決定することと、をして、端末デバイスの電力消費を低減する。
【００４６】
任意には、ページング設定パラメータは、ページング・フレーム番号、ページング期間、ページング密度、ページング・フレーム数量、またはページング・フレームにおけるページング・オケージョンの数量のうちの少なくとも１つを含む。
【００４７】
いくつかの可能な実装では、第１のパラメータ・セットは、第１の信号クラスタの期間表示パラメータ、第１の信号クラスタの開始伝送位置表示パラメータ、数量表示パラメータ、または第１の信号クラスタの周波数領域リソース位置表示パラメータのうちの少なくとも１つを含み、第１の信号クラスタは、少なくとも１つの第１の信号を含む。
【００４８】
任意には、第１の信号クラスタの期間表示パラメータは、第１の信号クラスタの期間を示すために使用される。
【００４９】
期間表示パラメータは、明示的期間表示パラメータおよび／または暗示的期間表示パラメータを含み、明示的期間表示パラメータは、第１の信号クラスタの期間値のインデックス番号を示し、暗示的期間表示パラメータは、１つのページング期間における第１の信号クラスタの数量、またはページング・オケージョンの数量に対する１つのページング期間における第１の信号クラスタの数量の比のうちの少なくとも１つを示す。
【００５０】
任意には、第１の信号クラスタの開始伝送位置表示パラメータは、時間領域において第１の信号クラスタの開始伝送位置を示すために使用される。
【００５１】
開始伝送位置表示パラメータは、第２のページング・オケージョンに対する第１の信号クラスタの開始伝送位置の相対位置を示し、第２のページング・オケージョンは、第１の信号クラスタに対応する少なくとも１つのページング・オケージョンのうちの１番目のページング・オケージョンである。
【００５２】
任意には、数量表示パラメータは、ページング期間における第１の信号の数量、ページング期間における第１の信号クラスタの数量、または第１の信号クラスタにおける第１の信号の数量のうちの少なくとも１つを示すために使用される。
【００５３】
数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号クラスタの数量に対するページング期間におけるページング・オケージョンの数量の比、または第１の信号の数量に対する第１の信号クラスタの期間におけるページング・オケージョンの数量の比のうちの少なくとも１つを示す。
【００５４】
任意には、第１の信号の周波数領域リソース位置表示パラメータは、第１の信号の周波数領域リソース位置を示すために使用される。
【００５５】
周波数領域リソース位置表示パラメータは、明示的周波数領域リソース位置表示パラメータおよび／または暗示的周波数領域リソース位置表示パラメータを含み、明示的周波数領域リソース位置表示パラメータは、周波数領域リソース位置のインデックス番号を示し、暗示的周波数領域リソース位置表示パラメータは、第１のページング・オケージョンの周波数領域リソース位置に対する第１の信号の周波数領域リソース位置の相対位置を示す。
【００５６】
任意には、第１の信号クラスタにおける各第１の信号は、対応する番号またはインデックスを含んでよい。第１のリソースは、第１の信号クラスタにおける第１の信号の番号に対応してよい。第１の信号の番号またはインデックスを取得した後、端末デバイスは、対応するリソースの位置について学習してよい。
【００５７】
いくつかの可能な実装では、１つのページング期間において、第１の信号の数量は、ＰＯの数量と同じでも異なってもよい。
【００５８】
任意には、端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、端末デバイスは、第１の計算ルールを使用することによって、ＰＯの前にある１番目の第１の信号クラスタにおける第１の信号の対応する番号を決定して、第１のリソースを決定してよい。
【００５９】
任意には、第１の信号の対応する番号は、ページング設定パラメータまたは数量表示パラメータのうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含む。端末デバイスは、ページング設定パラメータにおけるＴ、Ｎ、およびｎＢを使用することによってＰＦＳＦＮを決定し、さらに、ＰＦＳＦＮ、Ｔ、ｎＢ、Ｎｗｕｓまたはｎのうちの少なくとも１つの関数を使用することによって、第１の信号の対応する番号を決定してよい。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表す。このようにして、端末デバイスは、ＰＦＳＦＮ、Ｔ、ｎＢ、Ｎｗｕｓ、およびｎの関数を計算することによって、第１の信号の対応する番号を決定し、対応する番号に対応する第１のリソースを取得することができる。
【００６０】
例えば、１つのページング期間では、第１の信号の数量は、ＰＯの数量よりも少なくてよく、このケースでは、１つの第１の信号は、複数のＰＯに対応する。任意には、第１の信号クラスタにおける第１の信号の番号およびＰＯは、以下の数式を満たす：
【数１１】
0006910475.tif 000012
【００６１】
Ｗｉｎｄｅｘは、第１の信号クラスタにおける第１の信号の番号を表し、
【数１２】
0006910475.tif 000013
は、切り捨て演算を表し、ＰＦＳＦＮはシステム・フレーム番号、具体的には、第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が第１の信号クラスタにおける信号の数量のｎ倍であることを表し、
【数１３】
0006910475.tif 000014
は、第１の信号クラスタに対応する少なくとも１つのＰＯにおけるＰＯの番号を表す。このようにして、端末デバイスは、前述の数式に基づいて第１の信号の番号を決定して、第１のリソースを取得することができる。
【００６２】
代替的に、任意には、第１の信号クラスタにおける第１の信号の番号およびＰＯは、以下の数式を満たしてよい：
【数１４】
0006910475.tif 000015
【００６３】
数式におけるパラメータの意味は、前述の式におけるものと同様であると理解されたい。簡潔にするため、詳細は再度説明されない。このようにして、端末デバイスは、前述の式に基づいて第１の信号の番号を決定して、第１のリソースを取得することができる。
【００６４】
いくつかの可能な実装では、第１のリソースは、ページング設定パラメータ、第１のパラメータ・セット、および端末デバイス識別子に基づいて決定される。
【００６５】
ここで、１つのページング期間では、第１の信号の数量がＰＯの数量よりも大きくてもよい場合、１つのＰＯは複数の第１の信号に対応する。このケースでは、端末デバイスは、ページング設定パラメータ、第１のパラメータ・セットおよび端末デバイス識別子ＵＦＩＤに基づいて、第１の信号を送信するための第１のリソースを決定してよい。端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、端末デバイスは、第２の計算ルールを使用することによって、ＰＯの前にある１番目の第１の信号クラスタにおける第１の信号の対応する番号を決定して、第１のリソースを決定してよい。
【００６６】
任意には、第１の信号の対応する番号は、ページング設定パラメータ、数量表示パラメータまたは端末デバイス識別子のうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含み、ＰＦＳＦＮは、ページング設定パラメータにおけるＴ、Ｎ及びｎＢに基づいて決定されてよく、対応する番号は、さらに、ＰＦＳＦＮ、Ｔ、ｎＢ、Ｎｗｕｓ、ｎまたはＵＥＩＤのうちの少なくとも１つの関数を使用することによって決定される。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表す。このようにして、端末デバイスは、ＰＦＳＦＮ、Ｔ、ｎＢ、Ｎｗｕｓ、ｎおよびＵＥＩＤの関数を計算することによって、第１の信号の対応する番号を決定し、対応する番号に対応する第１のリソースを取得することができる。
【００６７】
任意には、第１の信号クラスタにおける第１の信号の番号および端末デバイス識別子ＵＥＩＤは、以下の数式を満たしてよい。
【数１５】
0006910475.tif 000016
【００６８】
Ｗｉｎｄｅｘは第１の信号クラスタにおける第１の信号の番号を表し、ＰＦＳＦＮは第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタ期間におけるＰＯの数量が第１の信号クラスタにおける第１の信号の数量のｎ倍であることを表し、
【数１６】
0006910475.tif 000017
は、少なくとも１つのページング・オケージョンにおいて第１のページング・オケージョンの番号を表し、
【数１７】
0006910475.tif 000018
は、１つの第１のページング・オケージョンに対応するｎ個の第１の信号におけるＵＥＩＤに対応する第１の信号の番号を表し、ＵＥＩＤは端末デバイス識別子を表し、Ｎの値はｍｉｎ（Ｔ，ｎＢ）である。
【００６９】
いくつかの可能な実装では、第１のリソースは、ページング設定パラメータ、第１のパラメータ・セット、および端末デバイス識別符号に基づいて決定される。この場合、端末デバイスは、ページング設定パラメータ、第１のパラメータ・セット、および端末デバイス識別符号ＩＭＳＩに基づいて、第１の信号を送信するためのリソースを決定してよい。端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、端末デバイスは、第３の計算ルールを使用することによって、ＰＯの前にある１番目の第１の信号クラスタにおける第１の信号の対応する番号を決定して、第１のリソースを決定してよい。
【００７０】
任意には、第１の信号の対応する番号は、ページング設定パラメータ、数量表示パラメータ、または端末デバイス識別符号のうちの少なくとも１つの関数を使用することによって決定されてよい。
【００７１】
ここで、第１の信号の数量がＰＯの数量より大きくてもよい場合、１つのＰＯは複数の第１の信号に対応する。さらに、１つの端末デバイス識別子ＵＥＩＤは、複数の端末デバイス識別符号ＩＭＳＩに対応する。このケースでは、端末デバイスは、端末デバイス識別符号ＩＭＳＩに基づいて、第１の信号を送信するための第１のリソースを決定してよい。
【００７２】
任意には、ページング設定パラメータは、ＰＦＳＦＮ、Ｔ、ｎＢ、Ｎ、およびＮｓを含み、数量表示パラメータは、Ｎｗｕｓ、ｎ等を含み、ＰＦＳＦＮは、ページング設定パラメータにおけるＴ、Ｎ及びｎＢに基づいて決定されてよく、第１の信号の対応する番号は、さらに、ＰＦＳＦＮ、Ｔ、ｎＢ、Ｎｗｕｓ、ｎまたはＩＭＳＩのうちの少なくとも１つの関数を使用することによって決定される。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表し、ＩＭＳＩは端末デバイス識別符号を表す。このようにして、端末デバイスは、ＰＦＳＦＮ、Ｔ、ｎＢ、Ｎｗｕｓ、ｎおよびＩＭＳＩの関数を計算することによって、第１の信号の対応する番号を決定し、対応する番号に対応する第１のリソースを取得することができる。
【００７３】
任意には、第１の信号クラスタにおける第１の信号の番号および端末デバイス識別子ＩＭＳＩは、以下の数式を満たしてよい：
【数１８】
0006910475.tif 000019
【００７４】
【数１９】
0006910475.tif 000020
は、少なくとも１つのページング・オケージョンにおいて第１のページング・オケージョンの番号を表し、
【数２０】
0006910475.tif 000021
は、１つの第１のページング・オケージョンに対応するｎ個の第１の信号におけるＵＥＩＤに対応する第１の信号の番号を表し、ＰＦＳＦＮは第１のページング・オケージョンに対応するシステム・フレーム番号を表し、Ｔは端末デバイスのページング期間を表し、ｎＢはページング密度を表し、Ｎｗｕｓは第１の信号クラスタにおける信号の数量を表し、ｎは第１の信号クラスタの期間における第１のページング・オケージョンの数量が、第１の信号クラスタにおける信号の数量のｎ倍であることを表し、ＩＭＳＩは端末デバイスに対応する端末デバイス識別符号を表し、Ｗｉｎｄｅｘは第１の信号クラスタにおける第１の信号の番号を表す。Ｍの値は正の整数であり、Ｍの値の範囲は十分大きくてよい。Ｍの値が十分大きい場合、ＩＭＳＩ  ｍｏｄ  Ｍは、ＩＭＳＩとほぼ等しい。Ｃの値は正の整数であり、好ましくは２の整数倍であり、１０２４、４０９６、または別の可能な値であってよい。これは限定されない。
【００７５】
いくつかの可能な実装では、第１の信号クラスタにおける少なくとも１つの信号は、連続時分割方式または分散時分割方式で送信される。
【００７６】
いくつかの可能な実装では、第１のリソースの時間領域開始位置は第１のページング・オケージョンの時間領域開始位置より前であるか、あるいは第１のリソースの時間領域開始位置は第１のページング・オケージョンの時間領域開始位置と同じである。
【００７７】
ここで、第１のリソースの時間領域開始位置が第１のページング・オケージョンに対応する時間領域開始位置と一致する場合、有効なページング・スケジューリング情報および／またはシステム・メッセージ変更があるとき、ネットワーク・デバイスは、第１のページング・オケージョンでページング・スケジューリング情報を送信する。有効なページング・スケジューリング情報および／またはシステム・メッセージ変更がない場合、ネットワーク・デバイスは第１のページング・オケージョンで第１の信号を送信する。例えば、第１の信号は、端末デバイスに対して、第１のページング・オケージョンにページング・スケジューリング情報があるかないかを示す。これに対応して、アイドル・モードからウェイク・アップした後で、第１のページング・オケージョンで下りリンク制御チャネルでリスンする前に、端末デバイスは第１の信号を検出しようと最初に試みてよい。第１の信号が首尾よく検出され、第１の信号が、端末デバイスに対して、第１のページング・オケージョンにページング・スケジューリング情報がないことを示す場合、端末デバイスはスリープを継続し、アイドル・モードに入ってよい。代替的には、第１の信号が第１のページング・オケージョンにページング・スケジューリング情報があることを示す場合、端末デバイスは探索空間でリスンし続けて、ページング・スケジューリング情報を受信してよい。
【００７８】
いくつかの可能な実装では、第１のリソースの周波数領域リソースは第１のページング・オケージョンに対応する周波数領域リソースと同じであるか、あるいは第１のリソースの周波数領域リソースと第１のページング・オケージョンに対応する周波数領域リソースの間に間隔がある。
【００７９】
いくつかの可能な実装では、その方法は、さらに：
端末デバイスによって、上位レイヤ・シグナリングを使用することによってネットワーク・デバイスによって送信されたページング設定パラメータおよび／または第１のパラメータ・セットを受信すること、を含む。
【００８０】
任意には、上位レイヤ・シグナリングはシステム・メッセージまたは他の上位レイヤ・シグナリングであってよい。例えば、上位レイヤ・シグナリングは無線リソース制御ＲＲＣシグナリングであってよい。システム・メッセージはシステム情報ブロックＳＩＢまたはマスタ情報ブロックＭＩＢであってよい。
【００８１】
第３の態様によれば、ネットワーク・デバイスが提供され、第１の態様または第１の態様の可能な実装のうちのいずれか１つにおける方法を実行するように構成されている。具体的には、ネットワーク・デバイスは、第１の態様または第１の態様の可能な実装のうちのいずれか１つにおける方法を実行するように構成されているモジュールを含む。
【００８２】
第４の態様によれば、端末デバイスが提供され、第２の態様または第２の態様の可能な実装のうちのいずれか１つにおける方法実行するように構成されている。具体的には、端末デバイスは、第２の態様または第２の態様の可能な実装のうちのいずれか１つにおける方法を実行するように構成されているモジュールを含む。
【００８３】
第５の態様によれば、ネットワーク・デバイスが提供される。ネットワーク・デバイスはプロセッサ、メモリ、および通信インタフェースを含む。プロセッサはメモリおよび通信インタフェースに接続される。メモリは命令を記憶するように構成されており、プロセッサは命令を実行するように構成されており、通信インタフェースはプロセッサの制御下で別のネットワーク要素と通信するように構成されている。プロセッサがメモリに記憶された命令を実行すると、実行によって、プロセッサが、第１の態様または第１の態様の可能な実装のうちのいずれか１つにおける方法を実行することが可能になる。
【００８４】
第６の態様によれば、端末デバイスが提供される。端末デバイスはプロセッサ、メモリ、および通信インタフェースを含む。プロセッサはメモリおよび通信インタフェースに接続される。メモリは命令を記憶するように構成されており、プロセッサは命令を実行するように構成されており、通信インタフェースはプロセッサの制御下で別のネットワーク要素と通信するように構成されている。プロセッサがメモリに記憶された命令を実行すると、実行によって、プロセッサが、第２の態様または第２の態様の可能な実装のうちのいずれか１つにおける方法を実行することが可能になる。
【００８５】
第７の態様によれば、コンピュータ読み取り可能記憶媒体が提供される。コンピュータ読み取り可能記憶媒体はプログラムを記憶する。そのプログラムは、ネットワーク・デバイスが、第１の態様または第１の態様の実装のいずれか１つにおける信号伝送方法を実行することを可能にする。
【００８６】
第８の態様によれば、コンピュータ読み取り可能記憶媒体が提供される。コンピュータ読み取り可能記憶媒体はプログラムを記憶する。そのプログラムは、端末デバイスが、第２の態様または第２の態様の実装のいずれか１つにおける信号伝送方法を実行することを可能にする。
【図面の簡単な説明】
【００８７】
【図１】アプリケーション・シナリオの概略図である。
【図２】この出願の実施形態による信号伝送方法の概略フローチャートである。
【図３】この出願の実施形態による実施例の概略図である。
【図４】この出願の実施形態による別の実施例の概略図である。
【図５】この出願の別の実施形態による信号伝送方法の概略フローチャートである。
【図６】この出願の実施形態によるネットワーク・デバイスの概略ブロック図である。
【図７】この出願の実施形態による端末デバイスの概略ブロック図である。
【図８】この出願の実施形態によるネットワーク・デバイスの構造ブロック図である。
【図９】この出願の実施形態による端末デバイスの構造ブロック図である。
【発明を実施するための形態】
【００８８】
以下、添付の図面を参照して、この出願の技術的解決策を説明する。
【００８９】
この出願の実施形態における技術的解決策は、様々な既存の通信システムまたはモノのインターネット（Internet  of  Things、ＩｏＴ）システム、例えば、グローバル・システム・フォー・モバイル・コミュニケーションズ（Global  System  for  Mobile  Communications、ＧＳＭ）システム、符号分割多元接続（Code  Division  Multiple  Access、ＣＤＭＡ）システム、広帯域符号分割多元接続（Wideband  Code  Division  Multiple  Access、ＷＣＤＭＡ）システム、一般パケット無線サービス（General  Packet  Radio  Service、ＧＰＲＳ）、ロング・ターム・エボリューション（Long  Term  Evolution、ＬＴＥ）システム、ＬＴＥ周波数分割複信（Frequency  Division  Duplex、ＦＤＤ）システム、ＬＴＥ時分割複信（Time  Division  Duplex、ＴＤＤ）システム、ユニバーサル・モバイル・テレコミュニケーションズ・システム（Universal  Mobile  Telecommunications  System、ＵＭＴＳ）、およびナローバンドのモノのインターネット（Narrowband  Internet  of  Things、ＮＢ−ＩｏＴ）システム、ならびに特に将来の５Ｇニュー・ラジオ・システム（New  Radio、ＮＲ）システム、５Ｇシステム、または直交周波数分割多重（Orthogonal  Frequency  Division  Multiplexing、ＯＦＤＭ）技術に基づいた通信システムに適用されてよい。
【００９０】
この出願の実施形態では、ネットワーク・デバイスは、ネットワーク・デバイス側、基地局等と呼ばれることがあるとさらに理解されたい。基地局は、ＧＳＭまたはＣＤＭＡにおける基地トランシーバ局（Base  Transceiver  Station、ＢＴＳ）であってもよく、ＷＣＤＭＡにおけるノードＢ（ＮｏｄｅＢ）であってもよく、ＬＴＥにおける発展型ノードＢ（Evolved  Node  Ｂ、ｅＮＢまたはｅＮｏｄｅＢ）、または将来の５Ｇネットワークにおける基地局デバイスｇＮＢであってよい。これはこの出願において限定されない。
【００９１】
この出願の実施形態において、端末デバイスは、無線アクセス・ネットワーク（Radio  Access  Network、ＲＡＮ）を使用することによって１つ以上のコア・ネットワーク（Core  Network）と通信してよく、端末デバイスは、アクセス端末デバイス、ユーザ機器（User  Equipment、ＵＥ）、加入者ユニット、加入者局、移動局、移動コンソール、遠隔局、遠隔端末、移動デバイス、ユーザ端末、端末、無線通信デバイス、ユーザ・エージェント、またはユーザ装置と呼ばれることがあるとさらに理解されたい。端末デバイスは、携帯電話、コードレス電話、セッション開始プロトコル（Session  Initiation  Protocol、ＳＩＰ）電話、無線ローカル・ループ（Wireless  Local  Loop、ＷＬＬ）局、パーソナル・デジタル・アシスタント（Personal  Digital  Assistant、ＰＤＡ）、無線通信機能を備えたハンドヘルド・デバイス、ユーザに対して音声および／またはデータ接続性を提供するデバイス、無線接続機能を備えたハンドヘルド・デバイス、無線モデムに接続された計算デバイスまたは別の処理デバイス、ビークルに取り付けられたデバイス、ウェアラブル・デバイス、将来の５Ｇネットワークにおける端末デバイス等であってよい。
【００９２】
図１は、シナリオの概略図である。理解を容易にするために、図１におけるシナリオが説明のために実施例として本明細書に導入されているが、この出願での限定を構成しないと理解されたい。図１は、端末デバイス１１と、端末デバイス１２と、端末デバイス１３と、基地局２１とを示す。
【００９３】
図１に示されるように、端末デバイス１１は基地局２１と通信してよく、端末デバイス１２は基地局２１と通信してよく、端末デバイス１３は基地局２１と通信してよい。代替的には、端末デバイス１２は端末デバイス１１と通信してもよい。代替的には、別の場合において、端末デバイス１３は端末デバイス１２と通信する。
【００９４】
図２は、この出願の実施形態による信号伝送方法２００の概略フローチャートである。方法２００は、ネットワーク・デバイスによって実行されてよい。例えば、ネットワーク・デバイスは、図１の基地局２１であってよい。これに対応して、ネットワーク・デバイスと通信する端末デバイスは、図１の端末デバイス１１、端末デバイス１２、または端末デバイス１３であってよい。図２に示されるように、方法２００は、以下のステップを含む。
【００９５】
Ｓ２１０：ネットワーク・デバイスは、第１の信号を生成し、第１の信号は、端末デバイスに対して、第１のページング・オケージョンにページング・スケジューリング情報があるかないかを示すために使用される。
【００９６】
任意には、第１のシグナルは、プリセット列であってよく、列は、一般的な擬似ランダム列、Ｇｏｌｄ列、Ｈａｄａｍａｒｄ列、Ｚａｄｏｆｆ−Ｃｈｕ列等であってよい。代替的には、第１の信号は、前述の列を変換することによって取得された列であってもよい。例えば、第１の信号が、複数の列の積の列であるか、第１の信号が、周期的シフト延長またはパンクチャの後に取得される列であってもよく、あるいは、第１のシグナルが前述の動作または別の変換動作のうちの少なくとも２つの後に取得される列である。これは本明細書で限定されない。
【００９７】
任意には、第１の信号は、エネルギー検出信号を含んでよい。
【００９８】
任意には、第１の信号はデータパケットを含んでよい。第１の信号は、オリジナル情報ビットに対して符号化、変調等の動作を実行することによって取得されるトランスポート・ブロックである。例えば、第１の信号のタイプ表示は、オリジナル情報ビットを使用することによって表わされてよい。例えば、オリジナル情報ビットは、「０」、「１」、「００」、「０１」、「１０」、または「１１」であってよい。
【００９９】
任意には、第１の信号は、第１のページング・オケージョンでの１つ以上の端末デバイスのページング状態を示すために使用されてよい。
【０１００】
任意には、第１の信号は、１つ以上のページング・オケージョンでの端末デバイスのページング状態を示すために使用されてよい。これは限定されない。
【０１０１】
任意には、第１の信号の伝送継続時間は、プロトコルにおいて事前に合意されていてよく、言い換えると、ネットワーク・デバイスと端末デバイスの両方が第１の信号の伝送継続時間について学習することができる。代替的には、第１の信号の伝送継続時間は、ネットワーク・デバイスによって示されてもよい。例えば、ネットワーク・デバイスは、システム・メッセージまたは他のより上位レイヤ・シグナリングを使用することによって、端末デバイスへ第１の信号の伝送継続時間を示してよい。代替的には、第１の信号の伝送時間は、プロトコルにおいて合意されたルールとネットワーク・デバイスの指示の両方に従って決定されてもよい。
【０１０２】
任意には、ネットワーク・デバイスは、第１の信号クラスタを生成してよい。第１の信号クラスタは、少なくとも１つの第１の信号を含む。
【０１０３】
任意には、第１の信号クラスタにおける少なくとも１つの信号は、連続時分割方式または分散時分割方式で送信される。言い換えると、第１の信号クラスタにおける少なくとも１つの信号の間に時系列関係があり、少なくとも１つの信号は、連続時分割または分散時分割に基づいてよい。これは、この出願のこの実施態様では限定されない。「連続時分割」は、時系列において連続性のある複数の第１の信号があることを意味する。このケースでは、複数の第１の信号は複数の連続した第１のリソースを占有する。「分散時分割」は、時系列において分散した少なくとも１つの第１の信号があることを意味する。このケースでは、少なくとも１つの第１の信号は複数の分散した第１のリソースを占有する。例えば、第１の信号クラスタは第１の部分と第２の部分とに分割されてよく、第１の部分または第２の部分は少なくとも１つの第１の信号を含んでよい。第１の信号クラスタの第１の部分と第２の部分は不連続である。任意には、第１の信号クラスタの第１の部分と第２の部分の間にページング・オケージョンがあってもなくてもよい。これは限定されない。
【０１０４】
任意には、第１の信号クラスタにおいて第１の信号によって占有されるリソースは、時分割に基づいてよく、異なる第１の信号は異なる時間領域リソースを占有し、言い換えると、異なる第１の信号は異なる時間領域位置で送信される。代替的には、例えば、第１の信号によって占有されるリソースは周波数分割に基づいてもよく、異なる第１の信号は異なる周波数領域リソースを占有し、言い換えると、異なる第１の信号は異なる周波数領域位置において送信される。代替的には、別の例では、第１の信号によって占有されるリソースは符号分割に基づいてもよく、異なる第１の信号は異なる符号化スキームで互いに区別される。代替的には、さらに別の例では、第１の信号によって占有されるリソースは空間分割に基づいてもよく、異なる第１の信号は異なるアンテナポートで異なる第１の信号を送信することによって互いに区別される。
【０１０５】
任意には、第１のページング・オケージョンは、ページング・オケージョン（Paging  Occasion、ＰＯ）、または粒度がＰＯより細かい将来の概念もしくは用語として理解されてよい。これは、この出願のこの実施態様において限定されない。アイドル・モードの端末デバイスは、通常、下りリンク制御チャネル、例えば、物理下りリンク制御チャネル（Physical  Downlink  Control  Channel、ＰＤＣＣＨ）または別の将来のチャネル用語でリスンするために対応するＰＯでウェイク・アップする。
【０１０６】
Ｓ２２０：ネットワーク・デバイスは、ページング設定パラメータ、第１のパラメータ・セット、端末デバイス識別子、または端末デバイス識別符号のうちの少なくとも１つに基づいて、第１のリソースを決定する。
【０１０７】
この出願の実施態様においては、前述のプロセスのシーケンス番号は実行シーケンスを示さないと理解されたい。プロセスの実行シーケンスは、プロセスの機能および内部ロジックに基づいて決定されるべきであり、この出願の実施態様の実装プロセスに対していかなる限定も構成するべきではない。
【０１０８】
言い換えると、この出願のこの実施形態では、Ｓ２１０およびＳ２２０の動作シーケンスは限定されない。ネットワーク・デバイスは、最初に、ページング設定パラメータ、第１のパラメータ・セット、端末デバイス識別子、または端末デバイス識別符号のうちの少なくとも１つに基づいて第１のリソースを決定し、次いで、第１の信号を生成してよい。代替的には、ネットワーク・デバイスは、最初に、第１の信号を生成し、次いで、ページング設定パラメータ、第１のパラメータ・セット、端末デバイス識別子、または端末デバイス識別符号のうちの少なくとも１つに基づいて第１のリソースを決定してもよい。
【０１０９】
Ｓ２３０：ネットワーク・デバイスは第１のリソースで端末デバイスに第１の信号を送信する。
【０１１０】
具体的には、ネットワーク・デバイスは第１の信号を生成してよい。第１の信号は、端末デバイスに対して、第１のページング・オケージョンにページング・スケジューリング情報があるかないかを示すために使用され、ページング設定パラメータ、第１のパラメータ・セット、端末デバイス識別子、または端末デバイス識別符号のうちの少なくとも１つに基づいて、第１のリソースを決定する。ネットワーク・デバイスは、第１のリソースで端末デバイスに第１の信号を送信する。これに対応して、端末デバイスは、第１の信号に基づいて、端末デバイスが下りリンク制御チャネルでリスンする必要があるかどうかを決定する。例えば、第１の信号が、端末デバイスに対して、第１のページング・オケージョンにページング・スケジューリング情報があるかないかを示す場合、端末デバイスは、アイドル・モードのままであり、言い換えると、端末デバイスは、第１のページング・オケージョンで下りリンク制御チャネルでリスンしない。例えば、第１の信号が、端末デバイスに対して、第１のページング・オケージョンにページング・スケジューリング情報があることを示す場合、端末デバイスは、第１のページング・オケージョンで下りリンク制御チャネルでリスンする。しかし、従来技術では、端末デバイスは、ページング・スケジューリング情報を受信するために、各不連続受信（Discontinuous  Reception、ＤＲＸ）期間において、対応するＰＯでＰＤＣＣＨ探索空間を常に盲検的に検出し、電力消費の無駄が生じている。この出願のこの実施形態における方法が使用される場合、端末デバイスは、下りリンク制御チャネルで不必要にリスンすることを回避することができ、端末デバイスの電力消費を低減する。
【０１１１】
さらに、ＮＢ−ＩｏＴでは、ＤＲＸ期間において、同じＰＯを共有する端末デバイスの数量は比較的大きい。例えば、ＤＲＸ期間において少なくとも１つのＰＯがあり、かつＤＲＸ期間において４０９６の端末デバイス識別子（User  Equipment  Identity、ＵＥＩＤ）がある場合、複数のＵＥＩＤに対応する端末デバイスが１つのＰＯを共有する。ＰＯにページング・スケジューリング情報がある場合、ページング・スケジューリング情報は、ＰＯに対応するいくつかの端末デバイスのみに固有であることがあり、他の端末デバイスは、実際には、下りリンク制御チャネルでリスンする必要がない。このケースでは、「同じＰＯを共有するすべての端末デバイスが下りリンク制御チャネルでリスンする必要がある」従来技術の方式と比較すると、この出願のこの実施形態では、技術的解決策が顕著に機能し、端末デバイスの電力消費が大幅に低減されるようにすることができる。
【０１１２】
この出願のこの実施形態では、ネットワーク・デバイスは、ページング設定パラメータ、第１のパラメータ・セット、端末デバイス識別子、または端末デバイス識別符号のうちの少なくとも１つに基づいて、第１のリソースを決定する。従来技術では、ネットワーク・デバイスは、既存のシステム・メッセージおよび／または他の上位レイヤ・シグナリングを使用することによって、ページング設定パラメータを設定し、ページング設定パラメータを使用することによって、第１のページングの機会を決定することがある。この出願のこの実施形態では、ネットワーク・デバイスは、ページング設定パラメータを設定するために使用される従来技術のシステム・メッセージおよび／または他の上位レイヤ・シグナリングを直接使用して、システム・メッセージおよび／または他の上位レイヤ・シグナリングのようなシグナリング・リソースを節約してよい。さらに、この出願のこの実施形態におけるネットワーク・デバイスは、従来技術のページング設定パラメータに基づいて第１のページング・オケージョンを決定してよく、次いで、ページング・オケージョンＰＯ、端末デバイス識別子、または端末デバイス識別符号のうちの少なくとも１つに基づいて第１のリソースを決定して、外部オーバーヘッドを低減する。
【０１１３】
この出願のこの実施形態では、ネットワーク・デバイスは、第１のリソースで端末デバイスに第１の信号を送信する。第１の信号は、端末デバイスに対して、第１のページング・オケージョンにページング・スケジューリング情報があるかないかを示すために使用され、端末デバイスは、第１の信号に基づいて、下りリンク制御チャネルでリスンするかどうかを決定するようにして、端末デバイスの電力消費を低減する。
【０１１４】
任意には、ページング設定パラメータは、ページング・フレーム番号、ページング期間、ページング密度、ページング・フレーム数量、ページング・フレームにおけるページング・オケージョンの数量等の別の可能なパラメータを含んでよい。
【０１１５】
具体的には、ネットワーク・デバイスまたは端末デバイスは、ページング設定パラメータに基づいてページング・システム・フレーム（Paging  Frame、ＰＦ）およびＰＯ位置を計算してよい。ＰＦはページング・スケジューリング情報が配置されるシステム・フレームを表し、ＰＯはページング・スケジューリング情報が配置されるサブフレームを表す。１つのＰＦは少なくとも１つのＰＯを含んでよい。例えば、ページング設定パラメータを取得した後、ネットワーク・デバイスまたは端末デバイスは数式（１）に基づいてＰＦを計算し、数式（２）に基づいてＰＯ位置を計算してよい：
SFN  mod  T=  (T  div  N)  x  (UEID  mod  N)      （１）
【０１１６】
数式（１）を満たすシステム・フレーム番号（System  Frame  Number、ＳＦＮ）がＰＦフレームとして使用されてよい。Ｔはページング期間を表し、ページング期間はページングのＤＲＸ期間を表し、Ｔの値は正の整数であり、Ｔの値の範囲は｛３２，６４，１２８，２５６｝のようなシステム・フレームでよく、ｍｏｄはモジュロ演算を表し、ｎＢはページング密度、具体的には１つのページング期間におけるページング・オケージョンの数量を表し、ｎＢの値は正の整数であり、ｎＢの値の範囲は｛４Ｔ，２Ｔ，Ｔ，Ｔ／２，Ｔ／４，Ｔ／８，Ｔ／１６，Ｔ／３２｝であってよく、Ｎはページング・フレームの数量を表し、ｍｉｎ（Ｔ，ｎＢ）の値、すなわち、ＴおよびｎＢのうちの小さい方の値を有し、Ｎの値は正の整数であり、Ｎの値の範囲は｛Ｔ，Ｔ／２，Ｔ／４，Ｔ／８，Ｔ／１６，Ｔ／３２｝であり、ＵＥＩＤの値は（ＩＭＳＩ  ｍｏｄ  Ｃ）であり、Ｃの値は、１０２４、４０９６、または他の可能な値であってよい。これは本明細書において限定されない。１つの端末デバイス識別子ＵＥＩＤは複数の端末デバイス識別符号（International  Mobile  Subscriber  Identity、ＩＭＳＩ）に対応してよく、すなわち、ＵＥＩＤは、複数のＩＭＳＩを含むグループである。各端末デバイスの端末デバイス識別符号ＩＭＳＩは固有である。
i_s  =  floor(UEID/N)  mod  Ns      (2)
【０１１７】
数式（２）において、ｉ＿ｓは、ＰＯインデックスを表し、ｉ＿ｓが計算された後、ＰＯが配置されるサブフレームは、テーブルを検索することによって取得されてよく、フロアは、切り捨て演算を表し、Ｎｓ＝ｍａｘ（１，ｎＢ／Ｔ）は、ページング・フレームにおけるページング・オケージョンの数量、すなわち、各ＰＦにおけるＰＯの数量を表し、Ｎｓの値は正の整数を表す。１つのＰＯは複数の端末デバイス識別子ＵＥＩＤに対応してよく、言い換えると、複数のＵＥＩＤによって決定されるＰＯは、同一のＰＯであってよい。
【０１１８】
結論として、ネットワーク・デバイスまたは端末デバイスは、数式（１）および数式（２）を使用することによって、ＰＦおよびＰＯ位置を計算してよい。
【０１１９】
この出願のこの実施形態では、ネットワーク・デバイスは、１つ以上の第１の信号、例えば第１の信号クラスタを生成してよい。第１の信号クラスタは、少なくとも１つの第１の信号を含む。
【０１２０】
任意には、第１の信号クラスタは周期的である。ネットワーク・デバイスは、各期間において第１の信号クラスタを送信してよい。追加的に、各期間に少なくとも１つのＰＯがある、言い換えると、１つの第１の信号クラスタは少なくとも１つのＰＯに対応する。
【０１２１】
任意には、第１のパラメータ・セットは、第１の信号クラスタの期間表示パラメータ、第１の信号クラスタの開始伝送位置表示パラメータ、数量表示パラメータ、または第１の信号クラスタの周波数領域リソース位置表示パラメータのうちの少なくとも１つを含み、第１の信号クラスタは少なくとも１つの信号を含み、第１の信号は第１の信号クラスタにおける信号である。
【０１２２】
具体的には、第１の信号クラスタの期間表示パラメータは第１の信号クラスタの期間を示すために使用され、期間表示パラメータは明示的期間表示パラメータおよび／または暗示的期間表示パラメータを含む。明示的期間表示パラメータは、第１の信号クラスタの期間値のインデックス番号を示す。第１の信号クラスタの期間表示パラメータは明示的に期間値を示してよい。このようにして、ネットワーク・デバイスまたは端末デバイスは、第１の信号クラスタの期間値のインデックス番号に基づいて第１の信号クラスタの期間値を決定して、１つの第１の信号クラスタが送信される無線フレームの特定の間隔を決定するとともに、１つのページング期間における第１の信号クラスタの数量を決定することができる。
【０１２３】
代替的には、暗示的期間表示パラメータは、１つのページング期間における第１の信号クラスタの数量を示す。このようにして、ネットワーク・デバイスまたは端末デバイスは、ページング期間および第１の信号クラスタの数量に基づいて、ページング期間を第１の信号クラスタの数量で割ることによって、２つの第１の信号クラスタ毎の間の無線フレームの数量を取得して、第１の信号クラスタの期間を取得することができる。
【０１２４】
代替的には、暗示的期間表示パラメータは、ページング・オケージョンの数量に対する１つのページング期間における第１の信号クラスタの数量の比を示し、各ページング期間におけるページング・オケージョンの数量は、従来技術の方法を使用することによって計算されてよい。このようにして、ネットワーク・デバイスまたは端末デバイスは、ページング・オケージョンの数量に対する第１の信号クラスタの数量の比に基づいて、第１の信号クラスタの数量を取得することができ、さらに、ページング期間を第１の信号クラスタの数量で割ることによって、２つの第１の信号クラスタ毎の間の無線フレームの数量を取得して、第１の信号クラスタの期間を決定することができる。
【０１２５】
具体的には、第１の信号クラスタの開始伝送位置表示パラメータは、時間領域において第１の信号クラスタの開始伝送位置を表示するために使用され、開始伝送位置表示パラメータは、第２のページング・オケージョンに対する第１の信号クラスタの開始伝送位置の位置を示し、第２のページング・オケージョンは、第１の信号クラスタに対応する少なくとも１つのページング・オケージョンにおける１番目のページング・オケージョンである。第２のページング・オケージョンは、第１のページング・オケージョンと同じでも異なってもよい。
【０１２６】
例えば、第１の信号クラスタの期間を決定した後、ネットワーク・デバイスまたは端末デバイスは、第１の信号クラスタが送信される特定の無線フレームを決定してよく、第１の信号クラスタに対応する少なくとも１つのページング・オケージョンを決定してよい。このケースでは、第１の信号クラスタに対応する少なくとも１つのページング・オケージョンの１番目のページング・オケージョンが決定されてよく、言い換えると、特定の無線フレームから出現する第１のページング・オケージョンが決定されてよい。ネットワーク・デバイスまたは端末デバイスは、第２のページング・オケージョンに対する第１の信号クラスタの開始伝送位置の相対位置に基づいて、第１の信号クラスタに対応する１番目のページング・オケージョンからの相対位置を推定し、取得された位置を第１の信号クラスタの開始伝送位置として使用してよい。代替的には、第１の信号クラスタの開始伝送位置が固定位置であることが直接合意されてもよい。例えば、第１の信号クラスタの期間を決定した後、ネットワーク・デバイスまたは端末デバイスは、第１の信号クラスタが送信される特定の無線フレームを決定してよい。この場合、固定サブフレーム位置がプロトコルに従って合意され、第１の信号クラスタを送信するための開始伝送位置として使用される。
【０１２７】
具体的には、数量表示パラメータは、ページング期間における第１の信号の数量、ページング期間における第１の信号クラスタの数量、または第１の信号クラスタにおける第１の信号の数量のうちの少なくとも１つを示すために使用される。任意には、数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号のクラスタの数量に対するページング期間におけるページング・オケージョンの数量の比、または第１の信号の数量に対する第１の信号クラスタの期間におけるページング・オケージョンの数量の比のうちの少なくとも１つを示す。
【０１２８】
具体的には、第１の信号の周波数領域リソース位置表示パラメータは第１の信号クラスタの周波数領域リソース位置を示すために使用され、周波数領域リソース位置表示パラメータは明示的周波数領域リソース位置表示パラメータおよび／または暗示的周波数領域リソース位置表示パラメータを含む。明示的周波数領域リソース位置表示パラメータは、周波数領域リソース位置のインデックス番号を示す。任意には、明示的周波数領域リソース位置表示パラメータはプロトコルにおいて前もって合意されてよく、言い換えると、ネットワーク・デバイスおよび端末デバイスの両方が明示的周波数領域リソース位置表示パラメータについて学習してよい。このようにして、ネットワーク・デバイスまたは端末デバイスは、第１の信号クラスタの明示的周波数領域リソース位置表示パラメータによって示されるインデックス番号に基づいて、第１の信号クラスタの周波数領域リソース位置を決定することができる。暗示的周波数領域リソース位置表示パラメータは、第１のページング機会の周波数領域リソース位置に対する第１の信号の周波数領域リソース位置の相対位置を示し、ネットワーク・デバイスまたは端末デバイスは、第１のページング・オケージョンの周波数領域リソース位置に対する第１の信号の周波数領域リソース位置の位置に基づいて、１番目のページング・オケージョンの周波数領域リソース位置からの相対位置を推定し、取得された位置を第１の信号の周波数領域リソース位置として使用してよい。代替的には、暗示的周波数領域リソース位置表示パラメータは、プロトコルにおいて合意されたルールとネットワーク・デバイスの指示の両方に従って代替的に決定されてよい。
【０１２９】
任意には、ネットワーク・デバイスは、ページング設定パラメータのうちの少なくとも１つの要素および／または第１のパラメータ・セットのうちの少なくとも１つの要素を端末デバイスに送信してよい。さらに、ネットワーク・デバイスは、ページング設定パラメータのうちの少なくとも１つの要素および／または第１のパラメータ・セットのうちの少なくとも１つの要素を、上位レイヤ・シグナリングを使用することによって端末デバイスに送信してよい。上位レイヤ・シグナリングはシステム・メッセージまたは他の上位レイヤ・シグナリングであってよい。例えば、上位レイヤ・シグナリングは無線リソース制御（Radio  Resource  Control、ＲＲＣ）シグナリングであってよい。システム・メッセージは、システム情報ブロック（System  Information  Block、ＳＩＢ）またはマスタ情報ブロック（Master  Information  Block、ＭＩＢ）であってよい。
【０１３０】
この出願のこの実施形態では、第１の信号を送信するための第１のリソースは、ページング設定パラメータ、第１のパラメータ・セット、端末デバイス識別子、または端末デバイス識別符号のうちの少なくとも１つに基づいて決定されてよい。以下、実施例を使用することによっていくつかの可能な組み合わせを説明する。
【０１３１】
例えば、任意には、第１のリソースはページング設定パラメータおよび第１のパラメータ・セットに基づいて決定され、言い換えると、ネットワーク・デバイスまたは端末デバイスはページング設定パラメータおよび第１のパラメータ・セットに基づいて第１のリソースを決定してよい。
【０１３２】
任意には、１つのページング期間では、第１の信号の数量は、ＰＯの数量と同じでも異なってもよい。
【０１３３】
例えば、１つのページング期間では、第１の信号は、ＰＯの数量よりも小さくてよい。このケースでは、１つの第１の信号は複数のＰＯに対応する。このケースでは、ネットワーク・デバイスまたは端末デバイスは、ページング設定パラメータおよび第１のパラメータ・セットに基づいて、第１の信号を送信するための第１のリソースを決定してよい。ネットワーク・デバイスまたは端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前の１番目の第１の信号クラスタの位置を決定してよい。ネットワーク・デバイスまたは端末デバイスは、第１の計算ルールを使用することによって、ＰＯの前にある１番目の第１の信号クラスタにおける第１の信号の対応する番号を決定して、第１のリソースを決定してよい。
【０１３４】
以下、第１の計算ルールについて説明する。具体的には、第１のリソースと第１の信号クラスタにおける第１の信号の対応する番号の間に対応があり、第１の信号クラスタは、少なくとも１つの第１の信号を含み、各第１の信号は１つの第１のリソースに対応する。例えば、第１の信号の対応する番号が「０」である場合、第１のリソースは第１の信号クラスタに対応するすべての第１のリソースのうちの１番目の第１のリソースである。
【０１３５】
任意には、第１の信号の対応する番号は、ページング設定パラメータまたは数量表示パラメータのうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含む。ネットワーク・デバイスまたは端末デバイスは、ページング設定パラメータにおけるＴ、Ｎ、およびｎＢを使用することによってＰＦＳＦＮを決定してよく、さらに、ＰＦＳＦＮ、Ｔ、ｎＢ、Ｎｗｕｓまたはｎのうちの少なくとも１つの関数を使用することによって、第１の信号の対応する番号を決定してよい。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表す。このようにして、ネットワーク・デバイスまたは端末デバイスは、ＰＦＳＦＮ、Ｔ、ｎＢ、Ｎｗｕｓ、およびｎの関数を計算することによって、第１の信号の対応する番号を決定し、対応する番号に対応する第１のリソースを取得することができる。
【０１３６】
以下、図３を参照して具体的な説明を提供する。図３における実施例は、当業者がこの出願の実施形態の技術的解決策を理解するのを助けるためだけに導入され、この出願の実施形態について限定を構成するものではないと理解されたい。
【０１３７】
図３は、この出願の実施形態による実施例の概略図である。ページング期間は複数の第１の信号クラスタを含んでよい。第１の信号クラスタは周期的である。図３の上側部分によって示されるように、１つのページング期間において、複数の第１の信号クラスタの各々は１つの第１の信号を含み、２つのＰＯが１つの第１の信号に対応して、２つのＰＯが１つの第１のリソースに対応するようにする。ネットワーク・デバイスまたは端末デバイスは、第１の信号クラスタの期間表示パラメータおよび開始伝送位置表示パラメータに基づいて、第１のリソースが無線フレームにおいて配置される特定のサブフレームを直接的または間接的に取得してよい。図３の下側部分では、任意には、１つの第１の信号クラスタの期間は４つのＰＯを含んでよい。図３の下側部分によって示されるように、１つのページング期間では、複数の第１の信号クラスタの各々は２つの第１の信号を含み、２つのＰＯが１つの第１の信号に対応してよい。
【０１３８】
任意には、第１の信号クラスタにおける各第１の信号は、対応する番号またはインデックスを含んでよい。第１のリソースは第１の信号クラスタにおける第１の信号の番号に対応してよい。第１の信号の番号またはインデックスを取得した後、ネットワーク・デバイスまたは端末デバイスは対応するリソースの位置について学習してよい。
【０１３９】
例えば、図３の下側部分では、４つのＰＯのうちの最初の２つのＰＯは、２つのリソースのうちの１番目の第１のリソース（具体的には、２つの第１の信号のうちの１番目の信号を送信するために使用されるリソース）に対応し、最後の２つのＰＯは、２つのリソース位置における２番目の第１のリソース（具体的には、２つの第１の信号のうちの２番目の信号を送信するために使用されるリソース）に対応することができる。
【０１４０】
例えば、第１の信号クラスタにおける第１の信号の番号およびＰＯは、数式（３）を満たしてよい：
【０１４１】
【数２１】
0006910475.tif 000022
Ｗｉｎｄｅｘは、第１の信号クラスタにおける第１の信号の番号を表し、
【数２２】
0006910475.tif 000023
は、切り捨て演算を表し、ＰＦＳＦＮはシステム・フレーム番号、具体的には、第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が第１の信号クラスタにおける信号の数量のｎ倍であることを表し、
【数２３】
0006910475.tif 000024
は、第１の信号クラスタに対応する少なくとも１つのＰＯにおけるＰＯの番号を表す。このようにして、ネットワーク・デバイスまたは端末デバイスは、前述の数式に基づいて第１の信号の番号を決定して、第１のリソースを取得することができる。
【０１４２】
数式（３）に対して具体的な実施例が使用される。Ｔ＝１２８、ｎＢ＝Ｔ、Ｎ＝１２８、Ｎｓ＝１と仮定すると、端末デバイスに対して、（ＰＦ  ｍｏｄ  Ｔ）＝１１４、Ｔ／ｎＢ＝１となり、
【数２４】
0006910475.tif 000025
は、ページング期間において、端末デバイスに対応するＰＯが１１４番目のＰＦにおけるサブフレーム０に配置されることを示す。Ｎｗｕｓ＝２、Ｗｉｎｄｅｘ＝｛０，１｝、ｎ＝２と仮定すると、１つの第１の信号クラスタは４つのＰＯに対応する。
【数２５】
0006910475.tif 000026
は、端末デバイスが４つのＰＯうちの３番目のＰＯに対応することを示す。さらに、Ｗｉｎｄｅｘ＝１は、端末デバイスが第１の信号クラスタにおける２番目の第１の信号に対応し、これに対応して、２つの第１のリソースの２番目の第１のリソースに対応することを示す。
【０１４３】
代替的には、別の例では、図３の下側部分において、４つのＰＯのうちの１番目のＰＯおよび３番目のＰＯは、２つのリソース位置における１番目のリソース（詳細には、２つの第１の信号のうちの１番目の信号を送信するために使用されるリソース）に対応してよく、２番目のＰＯおよび４番目のＰＯは、２つのリソース位置における２番目の第１のリソース（詳細には、２つの第１の信号の２番目の信号を送信するために使用されるリソース）に対応してよい。
【０１４４】
例えば、第１の信号クラスタにおける第１の信号の番号およびＰＯは、数式（４）を満たしてよい：
【数２６】
0006910475.tif 000027
【０１４５】
数式（４）におけるパラメータの意味は、数式（３）におけるものと同様であると理解されたい。簡潔にするため、詳細は再度説明されない。
【０１４６】
数式（４）に対して具体的な実施例が使用される。Ｔ＝１２８、ｎＢ＝Ｔ、Ｎ＝１２８、Ｎｓ＝１と仮定すると、端末デバイスに対して、（ＰＦＳＦＮ  ｍｏｄ  Ｔ）＝１１４、Ｔ／ｎＢ＝１となり、
【数２７】
0006910475.tif 000028
は、ページング期間において、端末デバイスに対応するＰＯが１１４番目のＰＦのサブフレーム０に配置されることを示す。Ｎｗｕｓ＝２、Ｗｉｎｄｅｘ＝｛０，１｝、ｎ＝２と仮定すると、１つの第１の信号クラスタは４つのＰＯに対応する。
【数２８】
0006910475.tif 000029
は、端末デバイスが４つのＰＯのうちの３番目のＰＯに対応することを示す。さらに、Ｗｉｎｄｅｘ＝０は、端末デバイスが第１の信号クラスタにおける１番目の第１の信号に対応し、これに対応して、２つの第１のリソースの１番目の第１のリソースに対応することを示す。
【０１４７】
結論として、ネットワーク・デバイスまたは端末デバイスは、数式（３）または数式（４）と組み合わせたＰＯに基づいて、第１の信号クラスタにおける第１の信号の対応する番号またはインデックスを計算して、第１の信号に対応する第１のリソースを決定してよい。
【０１４８】
例えば、任意には、第１のリソースは、ページング設定パラメータ、第１のパラメータ・セット、および端末デバイス識別子に基づいて決定される。言い換えると、ネットワーク・デバイスまたは端末デバイスは、端末デバイス識別子ＵＥＩＤに基づいて、第１の信号を送信するための第１のリソースを決定してよい。
【０１４９】
例えば、１つのページング期間では、第１の信号の数量がＰＯの数量よりも大きくてよく、このケースでは、１つのＰＯは複数の第１の信号に対応する。このケースでは、ネットワーク・デバイスまたは端末デバイスは、ページング設定パラメータ、第１のパラメータ・セットおよび端末デバイス識別子ＵＦＩＤに基づいて、第１の信号を送信するための第１のリソースを決定してよい。ネットワーク・デバイスまたは端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある最初の第１の信号クラスタの位置を決定してよい。任意には、ネットワーク・デバイスまたは端末デバイスは、第２の計算ルールを使用することによって、ＰＯの前にある最初の第１の信号クラスタにおける第１の信号の対応する番号を決定して、第１のリソースを決定してよい。
【０１５０】
以下、第２の計算ルールについて説明する。具体的には、第１のリソースと、第１の信号クラスタにおける第１の信号の対応する番号の間に対応があり、第１の信号クラスタは少なくとも１つの第１の信号を含み、各第１の信号は１つの第１のリソースに対応する。例えば、第１の信号の対応する番号が「０」である場合、第１のリソースは、第１の信号クラスタに対応するすべての第１のリソースのうちの１番目の第１のリソースである。
【０１５１】
任意には、第１の信号の対応する番号は、ページング設定パラメータ、数量表示パラメータまたは端末デバイス識別子のうちの少なくとも１つの関数を使用することによって決定されてよい。任意には、ページング設定パラメータは、ＰＦＳＦＮ、Ｔ、ｎＢ、ＮおよびＮｓを含み、数量表示パラメータは、Ｎｗｕｓ、ｎ等を含み、ＰＦＳＦＮは、ページング設定パラメータにおけるＴ、Ｎ、およびｎＢに基づいて決定されてよく、対応する番号は、ＰＦＳＦＮ、Ｔ、ｎＢ、Ｎｗｕｓ、ｎまたはＵＥＩＤのうちの少なくとも１つの関数を使用することによってさらに決定される。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表し、ＵＥＩＤは端末デバイス識別子を表す。このようにして、ネットワーク・デバイスまたは端末デバイスは、ＰＦＳＦＮ、Ｔ、ｎＢ、Ｎｗｕｓ、ｎおよびＵＥＩＤの関数を計算することによって、第１の信号の対応する番号を決定し、対応する番号に対応する第１のリソースを取得することができる。
【０１５２】
以下、図４を参照して具体的な説明を提供する。図４における実施例は、当業者がこの出願の実施形態の技術的解決策を理解するのを助けるためだけに導入され、この出願の実施形態について限定を構成するものではないと理解されたい。
【０１５３】
図４は、この出願の実施形態による実施例の概略図である。ページング期間は複数の第１の信号クラスタを含んでよい。第１の信号クラスタは周期的である。図４の上側部分では、任意には、１つの第１の信号クラスタの期間は１つのＰＯを含んでよく、１つのＰＯは複数のＵＥＩＤに対応し、各ＵＥＩＤは１つの第１のリソースに対応する。図４の上側部分によって示されるように、１つのページング期間において、複数の第１の信号クラスタの各々は２つの第１の信号を含み、１つのＰＯは２つの第１の信号に対応して、１つのＰＯが２つの第１のリソースに対応するようにする。ネットワーク・デバイスまたは端末デバイスは、ＵＥＩＤに基づいて第１のリソースを決定してよい。図４の下側部分では、任意には、１つの第１の信号クラスタの期間は２つのＰＯを含んでよい。このケースでは、１つのＰＯは複数の第１のリソースに対応し、１つのＰＯは複数のＵＥＩＤに対応し、各ＵＥＩＤは１つの第１のリソースに対応する。図４の下側部分によって示されるように、１つのページング期間において、複数の第１の信号クラスタの各々は、４つの第１の信号を含み、２つのＰＯのうちの１つは、複数の第１の信号に対応する。
【０１５４】
例えば、第１の信号クラスタにおける第１の信号の番号および端末デバイス識別子ＵＥＩＤは、以下の数式を満たしてよい：
【数２９】
0006910475.tif 000030
【０１５５】
Ｗｉｎｄｅｘは第１の信号クラスタにおける第１の信号の番号を表し、ＰＦＳＦＮは第１のページング・オケージョンに対応するシステム・フレーム番号を表し、Ｔは端末デバイスのページング期間を表し、ｎＢはページング密度を表し、Ｎｗｕｓは第１の信号クラスタにおける第１の信号の数量を表し、ｎは第１の信号クラスタ期間におけるＰＯの数量が第１の信号クラスタにおける第１の信号の数量のｎ倍であることを表し、
【数３０】
0006910475.tif 000031
は、少なくとも１つのページング・オケージョンにおいて第１のページング・オケージョンの番号を表し、
【数３１】
0006910475.tif 000032
は、１つの第１のページング・オケージョンに対応するｎ個の第１の信号におけるＵＥＩＤに対応する第１の信号の番号を表し、ＵＥＩＤは端末デバイス識別子を表し、Ｎの値はｍｉｎ（Ｔ，ｎＢ）である。
【０１５６】
数式（５）に対して具体的な例が使用される。Ｔ＝１２８、ｎＢ＝Ｔ、Ｎ＝１２８、Ｎｓ＝１と仮定すると、端末デバイスに対して、（ＰＦＳＦＮ  ｍｏｄ  Ｔ）＝１１４、Ｔ／ｎＢ＝１となり、
【数３２】
0006910475.tif 000033
は、ページング期間において、端末デバイスに対応するＰＯが１１４番目のＰＦのサブフレーム０に配置されることを示す。Ｎｗｕｓ＝４、Ｗｉｎｄｅｘ＝｛０，１，２，３｝、ｎ＝２と仮定すると、１つの第１の信号クラスタは２つのＰＯに対応する。
【数３３】
0006910475.tif 000034
は、端末デバイスが２つのＰＯうちの１番目のＰＯに対応することを示す。さらに、Ｗｉｎｄｅｘ＝１は、端末デバイスが第１の信号クラスタにおける２番目の第１の信号に対応し、これに対応して、４つの第１のリソースの２番目の第１のリソースに対応することを示す。
【０１５７】
結論として、ネットワーク・デバイスまたは端末デバイスは、数式（５）と組み合わせたＵＥＩＤに基づいて、第１の信号クラスタにおける第１の信号の番号またはインデックスを計算して、第１の信号に対応する第１のリソースを決定してよい。
【０１５８】
例えば、任意には、第１のリソースは、ページング設定パラメータ、第１のパラメータ・セット、および端末デバイス識別子に基づいて決定される。言い換えると、ネットワーク・デバイスまたは端末デバイスは、ページング設定パラメータ、第１のパラメータ・セットおよび端末デバイス識別符号ＩＭＳＩに基づいて、第１のリソースを決定してよい。
【０１５９】
例えば、１つのページング期間では、第１の信号の数量がＰＯの数量よりも大きくてよく、このケースでは、１つのＰＯは複数の第１の信号に対応する。このケースでは、ネットワーク・デバイスまたは端末デバイスは、ページング設定パラメータ、第１のパラメータ・セットおよび端末デバイス識別符号ＩＭＳＩに基づいて、第１の信号を送信するための第１のリソースを決定してよい。ネットワーク・デバイスまたは端末デバイスは、ページング設定パラメータを使用することによってＰＯを決定し、第１の信号クラスタの期間表示パラメータおよび第１の信号クラスタの開始伝送位置表示パラメータを使用することによって、ＰＯの前にある１番目の第１の信号クラスタの位置を決定してよい。任意には、ネットワーク・デバイスまたは端末デバイスは、第３の計算ルールを使用することによって、ＰＯの前にある１番目の第１の信号クラスタにおける第１の信号の対応する番号を決定して、第１のリソースを決定してよい。
【０１６０】
以下、第３の計算ルールについて説明する。具体的には、第１のリソースと、第１の信号クラスタにおける第１の信号の対応する番号の間に対応があり、第１の信号クラスタは少なくとも１つの第１の信号を含み、各第１の信号は１つの第１のリソースに対応する。例えば、第１の信号の対応する番号が「０」である場合、第１のリソースは第１の信号クラスタに対応するすべての第１のリソースのうちの１番目の第１のリソースである。
【０１６１】
任意には、第１の信号の対応する番号は、ページング設定パラメータ、数量表示パラメータまたは端末デバイス識別符号のうちの少なくとも１つの関数を使用することによって決定されてよい。任意には、ページング設定パラメータは、ＰＦＳＦＮ、Ｔ、ｎＢ、ＮおよびＮｓを含み、数量表示パラメータはＮｗｕｓ、ｎ等を含み、ＰＦＳＦＮはページング設定パラメータにおけるＴ、Ｎ、およびｎＢに基づいて決定されてよく、第１の信号の対応する番号は、ＰＦＳＦＮ、Ｔ、ｎＢ、Ｎｗｕｓ、ｎまたはＩＭＳＩのうちの少なくとも１つの関数を使用することによってさらに決定される。ＰＦＳＦＮはＰＯに対応するシステム・フレーム番号を表し、ページング・フレーム番号とも呼ばれ、Ｔは端末デバイスのページング期間を表し、ｎＢはページング密度を表し、Ｎｗｕｓは第１の信号クラスタにおける第１の信号の数量を表し、ｎは第１の信号クラスタの期間におけるＰＯの数量が、第１の信号クラスタにおける第１の信号の数量のｎ倍であることを表し、ＩＭＳＩは端末デバイス識別符号を表す。このようにして、ネットワーク・デバイスまたは端末デバイスは、ＰＦＳＦＮ、Ｔ、ｎＢ、Ｎｗｕｓ、ｎおよびＩＭＳＩの関数を計算することにより、第１の信号の対応する番号を決定し、対応する番号に対応する第１のリソースを取得することができる。例えば、図４に示すケースについて、第１の信号クラスタにおける第１の信号の番号および端末デバイス識別子ＩＭＳＩは、数式（６）を満たしてよい：
【数３４】
0006910475.tif 000035
【０１６２】
【数３５】
0006910475.tif 000036
は、少なくとも１つのページング・オケージョンにおいて第１のページング・オケージョンの番号を表し、
【数３６】
0006910475.tif 000037
は、１つの第１のページング・オケージョンに対応するｎ個の第１の信号におけるＵＥＩＤに対応する第１の信号の番号を表し、ＰＦＳＦＮは第１のページング・オケージョンに対応するシステム・フレーム番号を表し、Ｔは端末デバイスのページング期間を表し、ｎＢはページング密度を表し、Ｎｗｕｓは第１の信号クラスタにおける信号の数量を表し、ｎは第１の信号クラスタの期間における第１のページング・オケージョンの数量が、第１の信号クラスタにおける第１の信号の数量のｎ倍であることを表し、ＩＭＳＩは端末デバイスに対応する端末デバイス識別符号を表し、Ｗｉｎｄｅｘは、第１の信号クラスタにおける第１の信号の番号を表す。Ｍの値は正の整数であり、Ｍの値の範囲は十分大きくてよい。Ｍの値が十分大きい場合、ＩＭＳＩ  ｍｏｄ  Ｍは、ＩＭＳＩとほぼ等しい。Ｃの値は、正の整数であり、好ましくは２の整数倍であり、１０２４、４０９６、または別の可能な値であってよい。これは限定されない。
【０１６３】
結論として、ネットワーク・デバイスまたは端末デバイスは、数式（５）と組み合わせたＵＥＩＤに基づいて、第１の信号クラスタにおける第１の信号の番号またはインデックスを計算して、第１の信号に対応する第１のリソースを決定してよい。
【０１６４】
任意には、第１のリソースの時間領域開始位置は、第１のページング・オケージョンの時間領域位置より前であるか、あるいは第１のリソースの時間領域開始位置は、第１のページング・オケージョンの時間領域位置と同じである。ここで、第１のリソースの時間領域開始位置が、第１のページング・オケージョンに対応する時間領域位置と一致する場合、有効なページング・スケジューリング情報および／またはシステム・メッセージ変更があるとき、ネットワーク・デバイスは、第１のページング・オケージョンでページング・スケジューリング情報を送信する。有効なページング・スケジューリング情報および／またはシステム・メッセージ変更がない場合、ネットワーク・デバイスは第１のページング・オケージョンで第１の信号を送信する。例えば、第１の信号は、端末デバイスに対して、第１のページング・オケージョンにページング・スケジューリング情報があるかないかを示す。これに対応して、アイドル・モードからウェイク・アップした後に、第１のページング・オケージョンで下りリンク制御チャネルでリスンする前に、端末デバイスは、第１の信号を検出しようと最初に試みてよい。第１の信号が首尾よく検出され、第１の信号が、端末デバイスに対して、第１のページング・オケージョンにページング・スケジューリング情報がないことを示す場合、端末デバイスは、スリープを継続し、アイドル・モードに入ってよい。代替的には、第１の信号が第１のページング・オケージョンにページング・スケジューリング情報があることを示す場合、端末デバイスは、探索空間でリスンし続けて、ページング・スケジューリング情報を受信してよい。
【０１６５】
任意には、第１のリソースの周波数領域リソースは第１のページング・オケージョンに対応する周波数領域リソースと同じであるか、あるいは第１のリソースに対応する周波数領域リソースと第１のページング・オケージョンに対応する周波数領域リソースの間に間隔がある。
【０１６６】
言い換えると、第１の信号を送信するための第１のリソースによって占有される時間領域リソース位置は、第１のページング・オケージョンの時間領域リソース位置の前であってもよく、あるいは第１のページング・オケージョンの時間領域リソース位置と同じであってもよい。これは、この出願のこの実施態様では限定されない。追加的に、第１の信号を送信するための第１のリソースによって占有される周波数領域リソース位置と、第１のページング機会に対応する周波数領域リソース位置との間に間隔があってよく、あるいは、第１の信号を送信するための第１のリソースによって占有される周波数領域リソース位置は、第１のページング機会に対応する周波数領域リソース位置と同じであってよい。これは、この出願のこの実施態様において限定されない。
【０１６７】
任意には、方法２００は、さらに、以下のステップを含む：
【０１６８】
ネットワーク・デバイスは、上位レイヤ・シグナリングを使用することによって端末デバイスにページング設定パラメータの少なくとも１つの要素および／または第１のパラメータ・セットの少なくとも１つの要素を送信する。任意には、上位レイヤ・シグナリングは、システム・メッセージまたは他の上位レイヤ・シグナリングであってよい。例えば、上位レイヤ・シグナリングは、無線リソース制御ＲＲＣシグナリングであってよい。システム・メッセージは、システム情報ブロックＳＩＢまたはマスタ情報ブロックＭＩＢであってよい。
【０１６９】
したがって、この実施形態のこの実施形態では、ネットワーク・デバイスは第１の信号を端末デバイスに送信することであって、第１の信号は、端末デバイスに対して、第１のページング・オケージョンにページング・スケジューリング情報があるかないか示すために使用される、送信することと、ページング設定パラメータ、第１のパラメータ・セット、端末デバイス識別子、または端末デバイス識別符号のうちの少なくとも１つに基づいて第１のリソースを決定して、ネットワーク・デバイスは、第１のリソースで第１の信号を送信し、端末デバイスは第１の信号を受信し、第１の信号に基づいて、下りリンク制御チャネルでリスンするかどうかを決定して、端末デバイスの電力消費を低減するようにする。
【０１７０】
以下、端末デバイス側でのこの出願の実施形態による信号伝送方法を説明する。簡潔にするため、ネットワーク・デバイス側のものと同様の用語または概念は、再度説明されない。図５は、この出願の実施形態による信号伝送方法５００の概略フローチャートである。方法５００は端末デバイスによって実施されてよい。例えば、端末デバイスは、図１における端末デバイス１１、端末デバイス１２または端末デバイス１３としてよい。これに対応して、端末デバイスと通信するネットワーク・デバイスは、図１における基地局２１であってよい。図５に示されるように、方法５００は以下のステップを含む。
【０１７１】
Ｓ５１０：端末デバイスは、ページング設定パラメータ、第１のパラメータ・セット、端末デバイス識別子、または端末識別符号のうちの少なくとも１つに基づいて、第１のリソースを決定する。
【０１７２】
Ｓ５２０：端末デバイスは、第１のリソースで、ネットワーク・デバイスによって送信された第１の信号を受信し、第１の信号は、端末デバイスに対して、第１のページング・オケージョンにページング・スケジューリング情報があるかないかを示すために使用される。
【０１７３】
Ｓ５３０：端末デバイスは、第１の信号に基づいて、第１のページング・オケージョンで下りリンク制御チャネルでリスンするかどうかを決定する。
【０１７４】
具体的には、端末デバイスは、ページング設定パラメータ、第１のパラメータ・セット、端末デバイス識別子、または端末デバイス識別符号のうちの少なくとも１つに基づいて、第１のリソースを決定し、次いで、第１のリソースを使用することによって、ネットワーク・デバイスによって送信された第１の信号を受信し、最後に、第１の信号に基づいて、下りリンク制御チャネルでリスンするかどうかを決定する。例えば、第１の信号が、端末デバイスに対して、第１のページング・オケージョンにページング・スケジューリング情報があるかないかを示す場合、端末デバイスは、アイドル・モードのままであり、言い換えると、端末デバイスは、第１のページング・オケージョンで下りリンク制御チャネルでリスンしない。例えば、第１の信号が、端末デバイスに対して、第１のページング・オケージョンにページング・スケジューリング情報があることを示す場合、端末デバイスは、第１のページング・オケージョンで下りリンク制御チャネルでリスンする。
【０１７５】
この出願のこの実施形態では、端末デバイスは、ネットワーク・デバイスによって送信された第１の信号を受信することであって、第１の信号は、端末デバイスに対して、第１のページング・オケージョンにページング・スケジューリング情報があるかないかを示すために使用される、受信することと、第１の信号に基づいて、下りリンク制御チャネルでリスンするかどうかを決定することとをして、端末デバイスの電力消費を低減する。
【０１７６】
任意には、ページング設定パラメータは、ページング・フレーム番号、ページング期間、ページング密度、ページング・フレーム数量、またはページング・フレームにおけるページング・オケージョンの数量のうちの少なくとも１つを含む。
【０１７７】
任意には、第１のパラメータ・セットは、第１の信号クラスタの期間表示パラメータ、第１の信号クラスタの開始伝送位置表示パラメータ、数量表示パラメータ、または第１の信号の周波数領域リソース位置表示パラメータのうちの少なくとも１つを含み、第１の信号クラスタは少なくとも１つの信号を含む。
【０１７８】
任意には、第１の信号クラスタの期間表示パラメータは第１の信号クラスタの期間を示すために使用される。
【０１７９】
期間表示パラメータは、明示的期間表示パラメータおよび／または暗示的期間表示パラメータを含み、明示的期間表示パラメータは、第１の信号クラスタの期間値のインデックス番号を示し、暗示的期間表示パラメータは、１つのページング期間における第１の信号クラスタの数量、または複数のページング・オケージョンに対する１つのページング期間における第１の信号クラスタの数量の比のうちの少なくとも１つを示す。
【０１８０】
任意には、第１の信号クラスタの開始伝送位置表示パラメータは、時間領域において第１の信号クラスタの開始伝送位置を示すために使用される。
【０１８１】
開始伝送位置表示パラメータは第２のページング・オケージョンに対する第１の信号クラスタの開始伝送位置の対応する位置を示し、第２のページング・オケージョンは第１の信号クラスタに対応する少なくとも１つのページング・オケージョンの最初のページング・オケージョンである。
【０１８２】
任意には、数量表示パラメータは、ページング期間における第１の信号の数量、ページング期間における第１の信号クラスタの数量、または第１の信号クラスタにおける第１の信号の数量のうちの少なくとも１つを示すために使用される。
【０１８３】
数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号クラスタの数量に対するページング期間におけるページング・オケージョンの数量の比、または第１の信号の数量に対する第１の信号クラスタの期間におけるページング・オケージョンの数量の比のうちの少なくとも１つを示す。
【０１８４】
任意には、第１の信号の周波数領域リソース位置表示パラメータは、第１の信号の周波数領域リソース位置を示すために使用される。
【０１８５】
周波数領域リソース位置表示パラメータは、明示的周波数領域リソース位置表示パラメータおよび／または暗示的周波数領域リソース位置表示パラメータを含み、明示的周波数領域リソース位置表示パラメータは、周波数領域リソース位置のインデックス番号を示し、暗示的周波数領域リソース位置表示パラメータは、第１のページング・オケージョンの周波数領域リソース位置に対する第１の信号の周波数領域リソース位置の相対位置を示す。
【０１８６】
任意には、第１のリソースは、ページング設定パラメータおよび第１のパラメータ・セットに基づいて決定される。
【０１８７】
任意には、第１のリソースは、ページング設定パラメータ、第１のパラメータ・セットおよび端末デバイス識別子に基づいて決定される。
【０１８８】
任意には、第１のリソースは、ページング設定パラメータ、第１のパラメータ・セットおよび端末デバイス識別符号に基づいて決定される。
【０１８９】
第１のリソースを決定するための前述の方法については、前述の説明を参照し、第１のリソースを決定するための方法は、ネットワーク・デバイス側で第１のリソースを決定するためのものと同様であると理解されたい。簡潔にするため、詳細は再度説明されない。
【０１９０】
任意には、第１の信号クラスタにおける少なくとも１つの信号は、連続時分割方式または分散時分割方式で送信される。
【０１９１】
任意には、第１のリソースの時間領域開始位置は、第１のページング機会の時間領域開始位置より前であるか、あるいは第１のリソースの時間領域開始位置は、第１のページング・オケージョンの時間領域開始位置と同じである。
【０１９２】
任意には、第１のリソースの周波数領域リソースは、第１のページング機会に対応する周波数領域リソースと同じであるか、あるいは第１のリソースの周波数領域リソースと第１のページング機会に対応する周波数領域リソースの間に間隔がある。
【０１９３】
任意には、方法５００は、さらに、以下のステップを含む：
【０１９４】
端末デバイスは、上位レイヤ・シグナリングを使用することによってネットワーク・デバイスによって送信されたページング設定パラメータの少なくとも１つの要素、および／または、第１のパラメータ・セットの少なくとも１つの要素を受信する。
【０１９５】
したがって、端末デバイスは、ネットワーク・デバイスによって送信された第１の信号を受信することであって、第１の信号は、端末デバイスに対して、第１のページング・オケージョンにページング・スケジューリング情報があるかないかを示すために使用される、受信することと、第１の信号に基づいて、下りリンク制御チャネルでリスンするかどうかを決定することとをして、端末デバイスの電力消費を低減する。
【０１９６】
以上、この出願の実施形態による信号伝送方法を説明した。以下、この出願の実施形態によるネットワーク・デバイスおよび端末デバイスを説明する。
【０１９７】
図６は、この出願の実施形態によるネットワーク・デバイス６００の概略ブロック図である。図６に示されるように、ネットワーク・デバイス６００は、
第１の信号を生成するように構成されている生成モジュール６１０であって、第１の信号は、端末デバイスに対して、第１のページング・オケージョンにページング・スケジューリング情報があるかないかを示すために使用される、生成モジュール６１０と、
ページング設定パラメータ、第１のパラメータ・セット、端末デバイス識別子、または端末デバイス識別符号のうちの少なくとも１つに基づいて、第１のリソースを決定するように構成されている決定モジュール６２０と、
第１のリソースで端末デバイスに第１の信号を送信するように構成されている送信モジュール６３０と、を含む。
【０１９８】
この出願のこの実施形態では、ネットワーク・デバイス６００は、第１の信号を端末デバイスに送信する。第１の信号は、端末デバイスに対して、第１のページング・オケージョンにページング・スケジューリング情報があるかないかを示すために使用されて、端末デバイスが、第１の信号に基づいて、下りリンク制御チャネルでリスンするかどうかを決定して、端末デバイスの電力消費を低減するようにする。
【０１９９】
任意には、ページング設定パラメータは、ページング・フレーム番号、ページング期間、ページング密度、ページング・フレーム数量、またはページング・フレームにおけるページング・オケージョンの数量のうちの少なくとも１つを含む。
【０２００】
任意には、第１のパラメータ・セットは、第１の信号クラスタの期間表示パラメータ、第１の信号クラスタの開始伝送位置表示パラメータ、数量表示パラメータ、または第１の信号クラスタの周波数領域リソース位置表示パラメータのうちの少なくとも１つを含み、第１の信号クラスタは少なくとも１つの信号を含む。
【０２０１】
任意には、第１の信号クラスタの期間表示パラメータは第１の信号クラスタの期間を示すために使用される。
【０２０２】
期間表示パラメータは、明示的期間表示パラメータおよび／または暗示的期間表示パラメータを含み、明示的期間表示パラメータは、第１の信号クラスタの期間値のインデックス番号を示し、暗示的期間表示パラメータは、１つのページング期間における第１の信号クラスタの数量、またはページング・オケージョンの数量に対する１つのページング期間における第１の信号クラスタの数量の比のうちの少なくとも１つを示す。
【０２０３】
任意には、第１の信号クラスタの開始伝送位置表示パラメータは、時間領域において第１の信号クラスタの開始伝送位置を示すために使用される。
【０２０４】
開始伝送位置表示パラメータは、第２のページング・オケージョンに対する第１の信号クラスタの開始伝送位置の相対位置を示し、第２のページング・オケージョンは、第１の信号クラスタに対応する少なくとも１つのページング・オケージョンのうちの１番目のページング・オケージョンである。
【０２０５】
任意には、数量表示パラメータは、ページング期間における第１の信号の数量、ページング期間における第１の信号クラスタの数量、または第１の信号クラスタにおける第１の信号の数量のうちの少なくとも１つを示すために使用される。
【０２０６】
数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号クラスタの数量に対するページング期間におけるページング・オケージョンの数量の比、または第１の信号の数量に対する第１の信号クラスタの期間におけるページング・オケージョンの数量の比のうちの少なくとも１つを示す。
【０２０７】
任意には、第１の信号の周波数領域リソース位置表示パラメータは、第１の信号の周波数領域リソース位置を示すために使用される。
【０２０８】
周波数領域リソース位置表示パラメータは、明示的周波数領域リソース位置表示パラメータおよび／または暗示的周波数領域リソース位置表示パラメータを含み、明示的周波数領域リソース位置表示パラメータは、周波数領域リソース位置のインデックス番号を示し、暗示的周波数領域リソース位置表示パラメータは、第１のページング・オケージョンの周波数領域リソース位置に対する第１の信号の周波数領域リソース位置の相対位置を示す。
【０２０９】
任意には、第１の信号クラスタにおける少なくとも１つの信号は、連続時分割方式または分散時分割方式で送信される。
【０２１０】
任意で、第１のリソースの時間領域開始位置は、第１のページング・オケージョンの時間領域開始位置より前であるか、あるいは第１のリソースの時間領域開始位置は、第１のページング・オケージョンの時間領域開始位置と同じである、かつ／あるいは
第１のリソースの周波数領域リソースは、第１のページング・オケージョンに対応する周波数領域リソースと同じであるか、あるいは第１のリソースの周波数領域リソースと第１のページング・オケージョンに対応する周波数領域リソースの間に間隔がある。
【０２１１】
任意には、送信モジュール６３０は、さらに：
ページング設定パラメータの少なくとも１つの要素および／または端末デバイスに設定された第１のパラメータの少なくとも１つの要素を、上位レイヤ・シグナリングを使用して端末デバイスに送信すること、をするように構成されている。
【０２１２】
この出願のこの実施形態によれば、ネットワーク・デバイス６００は、この出願の実施形態における信号伝送方法において、ネットワーク・デバイス側での方法を実行してよい。ネットワーク・デバイス６００のモジュールの前述および他の動作および／または機能は、それぞれ、方法の対応する手順を実装するために使用される。簡潔にするため、詳細は再度説明されない。
【０２１３】
したがって、ネットワーク・デバイス６００は、第１の信号を端末デバイスに送信することであって、第１の信号は、端末デバイスに対して、第１のページング・オケージョンにページング・スケジューリング情報があるかないかを示すために使用される、送信することをして、端末デバイスが、第１の信号に基づいて、下りリンク制御チャネルでリスンするかどうかを決定して、端末デバイスの電力消費を低減するようにする。
【０２１４】
図７は、この出願の実施形態による端末デバイス７００の概略ブロック図である。図７に示されるように、端末デバイス７００は：
ページング設定パラメータ、第１のパラメータ・セット、端末デバイス識別子、または端末識別符号のうちの少なくとも１つに基づいて、第１のリソースを決定するように構成されている決定モジュール７１０と、
第１のリソースで、ネットワーク・デバイスによって送信された第１の信号を受信するように構成されている受信モジュール７２０であって、第１の信号は、端末デバイスに対して、第１のページング・オケージョンにページング・スケジューリング情報があるかないかを示すために使用される、受信モジュール７２０と、
第１の信号に基づいて、第１のページング・オケージョンで下りリンク制御チャネルでリスンするかどうかを決定するように構成されている処理モジュール７３０と、を含む。
【０２１５】
この出願のこの実施形態では、端末デバイス７００は、ページング設定パラメータ、第１のパラメータ・セット、端末デバイス識別子、または端末デバイス識別符号のうちの少なくとも１つに基づいて第１のリソースを決定することと、第１のリソースで、ネットワーク・デバイスによって送信された第１の信号を受信することであって、第１の信号は、端末デバイスに対して、第１のページング・オケージョンにページング・スケジューリング情報があるかないかを示すために使用される、受信することと、第１の信号に基づいて、下りリンク制御チャネルでリスンするかどうかを決定すること、をして、端末デバイスの電力消費を低減する。
【０２１６】
任意には、ページング設定パラメータは、ページング・フレーム番号、ページング期間、ページング密度、ページング・フレーム数量、またはページング・フレームにおけるページング・オケージョンの数量のうちの少なくとも１つを含む。
【０２１７】
任意には、第１のパラメータ・セットは、第１の信号クラスタの期間表示パラメータ、第１の信号クラスタの開始伝送位置表示パラメータ、数量表示パラメータ、または第１の信号クラスタの周波数領域リソース位置表示パラメータのうちの少なくとも１つを含み、第１の信号クラスタは少なくとも１つの信号を含む。
【０２１８】
任意には、第１の信号クラスタの期間表示パラメータは第１の信号クラスタの期間を示すために使用される。
【０２１９】
期間表示パラメータは、明示的期間表示パラメータおよび／または暗示的期間表示パラメータを含み、明示的期間表示パラメータは、第１の信号クラスタの期間値のインデックス番号を示し、暗示的期間表示パラメータは、１つのページング期間における第１の信号クラスタの数量、またはページング・オケージョンの数量に対する１つのページング期間における第１の信号クラスタの数量の比のうちの少なくとも１つを示す。
【０２２０】
任意には、第１の信号クラスタの開始伝送位置表示パラメータは、時間領域において第１の信号クラスタの開始伝送位置を示すために使用される。
【０２２１】
開始伝送位置表示パラメータは、第２のページング・オケージョンに対する第１の信号クラスタの開始伝送位置の相対位置を示し、第２のページング・オケージョンは、第１の信号クラスタに対応する少なくとも１つのページング・オケージョンのうちの１番目のページング・オケージョンである。
【０２２２】
任意には、数量表示パラメータは、ページング期間における第１の信号の数量、ページング期間における第１の信号クラスタの数量、または第１の信号クラスタにおける第１の信号の数量のうちの少なくとも１つを示すために使用される。
【０２２３】
数量表示パラメータは、ページング期間における第１の信号の数量のインデックス番号、ページング期間における第１の信号クラスタの数量のインデックス番号、第１の信号クラスタにおける第１の信号の数量のインデックス番号、第１の信号の数量に対するページング期間におけるページング・オケージョンの数量の比、第１の信号クラスタの数量に対するページング期間におけるページング・オケージョンの数量の比、または第１の信号の数量に対する第１の信号クラスタの期間におけるページング・オケージョンの数量の比のうちの少なくとも１つを示す。
【０２２４】
任意には、第１の信号の周波数領域リソース位置表示パラメータは、第１の信号の周波数領域リソース位置を示すために使用される。
【０２２５】
周波数領域リソース位置表示パラメータは、明示的周波数領域リソース位置表示パラメータおよび／または暗示的周波数領域リソース位置表示パラメータを含み、明示的周波数領域リソース位置表示パラメータは、周波数領域リソース位置のインデックス番号を示し、暗示的周波数領域リソース位置表示パラメータは、第１のページング・オケージョンの周波数領域リソース位置に対する第１の信号の周波数領域リソース位置の相対位置を示す。
【０２２６】
任意には、第１の信号クラスタにおける少なくとも１つの信号は、連続時分割方式または分散時分割方式で送信される。
【０２２７】
任意には、第１のリソースの時間領域開始位置は、第１のページング・オケージョンの時間領域開始位置より前であるか、あるいは第１のリソースの時間領域開始位置は、第１のページング・オケージョンの時間領域開始位置と同じである、かつ／あるいは
第１のリソースの周波数領域リソースは、第１のページング・オケージョンに対応する周波数領域リソースと同じであるか、あるいは第１のリソースの周波数領域リソースと第１のページング・オケージョンに対応する周波数領域リソースの間に間隔がある。
【０２２８】
任意には、受信モジュールは、さらに：
上位レイヤ・シグナリングを使用することによってネットワーク・デバイスによって送信されたページング設定パラメータの少なくとも１つの要素、および／または第１のパラメータ・セットの少なくとも１つの要素を受信するようにさらに構成されている。
【０２２９】
この出願のこの実施形態によれば、端末デバイス７００は、この出願の前述の実施形態による信号伝送方法において、端末デバイス側の方法を実行してよい。追加的に、端末デバイス７００のモジュールの前述および他の動作および／または機能は、それぞれ、方法の対応する手順を実装するために使用される。簡潔にするため、詳細は再度説明されない。
【０２３０】
したがって、端末デバイス７００は、ネットワーク・デバイスによって送信された第１の信号を受信することであって、第１の信号は、端末デバイスに対して、第１のページング・オケージョンにページング・スケジューリング情報があるかないかを示すために使用される、受信することと、第１の信号に基づいて、下りリンク制御チャネルでリスンするかどうか決定することと、をして、端末デバイスの電力消費を低減する。
【０２３１】
図８は、この出願の実施形態によるネットワーク・デバイスの構造を示す。ネットワーク・デバイスは、少なくとも１つのプロセッサ８０２（例えば、ＣＰＵ）と、少なくとも１つのネットワーク・インタフェース８０３または別の通信インタフェースと、メモリ８０４とを含む。任意には、ネットワーク・デバイスは、受信機８０５と、送信機８０６とをさらに含んでよい。プロセッサ８０２は、メモリ８０４に記憶された実行可能モジュール、例えば、コンピュータプログラムを実行するように構成されている。メモリ８０４は、高速ランダム・アクセス・メモリＲＡＭを含んでよく、不揮発性メモリ（non-volatile  memory）、例えば、少なくとも１つの磁気ディスク記憶装置を含んでもよい。少なくとも１つのネットワーク・インタフェース８０３（有線でも無線でもよい）は、少なくとも１つの別のネットワーク要素への通信接続を実装するために使用される。受信機８０５および送信機８０６は、種々の信号または情報を送信するように構成されている。
【０２３２】
いくつかの実装では、メモリ８０４は、プログラム８０４１を記憶する。プログラム８０４１は、プロセッサ８０２によって実行されてよく、この出願の前述の実施形態において、ネットワーク・デバイス側での方法を実行するために使用される。
【０２３３】
図９は、この出願の実施形態による端末デバイスの構造を示す。端末デバイスは、少なくとも１つのプロセッサ９０２（例えば、ＣＰＵ）と、少なくとも１つのネットワーク・インタフェース９０３または別の通信インタフェースと、メモリ９０４とを含む。任意には、端末デバイスは、受信機９０５と、送信機９０６とをさらに含んでよい。プロセッサ９０２は、メモリ９０４に記憶された実行可能モジュール、例えば、コンピュータプログラムを実行するように構成されている。メモリ９０４は、高速ランダム・アクセス・メモリＲＡＭを含んでよく、不揮発性メモリ（non-volatile  memory）、例えば、少なくとも１つの磁気ディスク記憶装置を含んでもよい。少なくとも１つのネットワーク・インタフェース９０３（有線でも無線でもよい）は、少なくとも１つの別のネットワーク要素への通信接続を実装するために使用される。受信機９０５および送信機９０６は、種々の信号または情報を送信するように構成されている。
【０２３４】
いくつかの実装では、メモリ９０４はプログラム９０４１を記憶する。プログラム９０４１はプロセッサ９０２によって実行されてよく、この出願の別の実施形態において、端末デバイス側での前述の方法を実行するために使用される。
【０２３５】
この明細書における用語「および／または」は、関連するオブジェクトを説明するための関連関係のみを説明し、３つの関係が存在する可能性があることを示すと理解されたい。例えば、Ａおよび／またはＢは、以下の３つのケースを表す、すなわち、Ａのみが存在する、ＡとＢの両方が存在する、Ｂのみが存在する、である。追加的に、この明細書における文字「／」は、通常、関連するオブジェクト間の「または」の関係を表す。
【０２３６】
さらに、この出願の実施態様において、前述のプロセスのシーケンス番号は実行シーケンスを意味しないと理解されたい。プロセスの実行シーケンスは、プロセスの機能および内部ロジックに基づいて決定されるべきであり、この出願の実施態様の実装プロセスに対していかなる限定も構成するべきではない。
【０２３７】
当業者は、この明細書に開示された実施形態を参照して説明された実施例におけるユニットおよびアルゴリズムのステップは、電子ハードウェアまたはコンピュータ・ソフトウェアと電子ハードウェアとの組み合わせによって実施され得ると認識してよい。機能がハードウェアで実施されるのか、ソフトウェアで実施されるのかは、特定の用途と技術的解決策の設計上の制約に依存する。特定の用途については、当業者は、説明された機能を実装するために異なる方法を使用してよいが、この実装が、この出願の実施形態の範囲を超えるものと解釈されるべきではない。
【０２３８】
当業者によって、前述のシステム、装置、およびユニットの特定の作業プロセスについて、説明の便宜性、簡潔性のために、前述の方法の実施形態における対応するプロセスを参照することが明確に理解されてよい。詳細は、再度説明されない。
【０２３９】
この出願の実施形態において提供された、いくつかの実施形態では、開示されたシステム、装置、および方法は、他の方法で実施され得ると理解されたい。例えば、説明された装置の実施形態は単なる実施例である。例えば、ユニットの分割は単なる論理的な機能分割にすぎず、あるいは実際の実装においては他の分割でよい。例えば、複数のユニットまたは構成要素は、別のシステムに結合または統合されてよく、あるいはいくつかの特徴は、無視されてもよく、あるいは実行されなくてもよい。追加的に、表示または説明された相互結合もしくは直接結合または通信接続は、いくつかのインタフェース、装置、またはユニットを使用する間接結合または通信接続であってよく、電気的形態、機械的形態、または別の形態であってよい。
【０２４０】
別個の構成要素として説明されたユニットは、物理的に分離していてもしていなくてもよく、ユニットとして表示される構成要素は物理的ユニットであってもなくてもよく、言い換えると、構成要素は、一箇所に配置されてもよく、複数のネットワークユニットに分散されてもよい。ユニットの一部または全部は、実施形態における解決策の目的を達成するために実際の要件に基づいて選択されてよい。
【０２４１】
追加的に、本出願の実施形態の実施形態における機能ユニットが１つの処理ユニットに統合されてよく、各ユニットが物理的に単独で存在してもよく、２つ以上のユニットが１つのユニットに統合されてもよい。
【０２４２】
機能がソフトウェア機能ユニットの形態で実装され、独立した製品として販売または使用される場合、機能はコンピュータ読み取り可能な記憶媒体に記憶されてよい。そのような理解に基づいて、この出願の技術的解決策、本質的に、先行技術に寄与する部分、または技術的解決策のいくつかは、ソフトウェア製品の形態で具現化されてよい。コンピュータ・ソフトウェア製品は記憶媒体に記憶され、コンピュータ・デバイス（パーソナル・コンピュータ、サーバ、ネットワーク・デバイス等であってよい）に、この出願の実施形態において説明された方法の全部または一部のステップを実行するように指示するためのいくつかの命令を含む。前述の記憶媒体は、ＵＳＢフラッシュ・ドライブ、リムーバブル・ハード・ディスク、読み出し専用メモリ（Read-Only  Memory、ＲＯＭ）、ランダム・アクセス・メモリ（Random  Access  Memory、ＲＡＭ）、磁気ディスク、コンパクト・ディスク等のプログラムコードを記憶することができる任意の媒体を含む。
【０２４３】
前述の説明は、この出願の実施態様の特定の実装にすぎず、この出願の実施態様の保護範囲を限定することを意図されていない。この出願の実施形態に開示された技術的範囲内で当業者によって容易に理解される任意の変更または置換は、この出願の実施態様の保護範囲に入るものとする。したがって、この出願の実施形態の保護範囲は、特許請求の範囲の保護範囲に従うものとする。
【図１】
0006910475.tif 000038
【図２】
0006910475.tif 000039
【図３】
0006910475.tif 000040
【図４】
0006910475.tif 000041
【図５】
0006910475.tif 000042
【図６】
0006910475.tif 000043
【図７】
0006910475.tif 000044
【図８】
0006910475.tif 000045
【図９】
0006910475.tif 000046